(57)【特許請求の範囲】
【請求項１】
ユーザ機器UEの測定構成情報を構成および送信するステップであって、前記測定構成情報は、参照セルに対する測定レポートトリガリング条件を少なくとも含み、前記参照セルに対する前記測定レポートトリガリング条件が満たされている場合、前記測定構成情報は、測定結果を報告するように前記UEをトリガするために使用される、ステップを含み、前記UEは、前記UEのプライマリ基地局である第1の基地局、および前記UEのセカンダリ基地局である第2の基地局に接続され、前記参照セルは、前記第2の基地局のプライマリセルを含み、前記第2の基地局の前記プライマリセルは、前記UEがワイヤレスリンクモニタを実行するセルであり、
前記参照セルに対する前記測定レポートトリガリング条件は、第1のトリガリング条件および第2のトリガリング条件の少なくとも1つを含み、
前記第1のトリガリング条件は、しきい値だけ前記参照セルの信号品質より高い近接セルの信号品質を含み、
前記第2のトリガリング条件は、第1の絶対しきい値より低い前記参照セルの信号品質および第2の絶対しきい値より高い近接セルの信号品質を含む、測定方法。
【請求項２】
近接セルは、前記UEにサービスを提供しないセルと、前記UEにサービスを提供しない第1の基地局のセルと、前記UEにサービスを提供しない第2の基地局のセルとの少なくとも1つを含む請求項１に記載の方法。
【請求項３】
前記参照セルおよび前記近接セルは、周波数内セルであるか、または前記参照セルおよび前記近接セルは、周波数間セルであるか、または前記参照セルおよび前記近接セルは、周波数内セルであるが、異なる時間領域および/または異なる周波数帯で動作する請求項２に記載の方法。
【請求項４】
ユーザ機器UEによって実行される測定方法であって、前記測定方法は、
基地局側によって構成された測定構成情報を受信するステップであって、前記測定構成情報は、参照セルに対する測定レポートトリガリング条件を少なくとも含むステップと、
前記参照セルに対する前記測定レポートトリガリング条件が満たされる場合、測定結果を報告するステップと
を含み、
前記UEは、前記UEのプライマリ基地局である第1の基地局、および前記UEのセカンダリ基地局である第2の基地局に接続され、前記参照セルは、前記第2の基地局のプライマリセルを含み、前記第2の基地局の前記プライマリセルは、前記UEがワイヤレスリンクモニタを実行するセルであり、
前記参照セルに対する前記測定レポートトリガリング条件は、第1のトリガリング条件および第2のトリガリング条件の少なくとも1つを含み、
前記第1のトリガリング条件は、しきい値だけ前記参照セルの信号品質より高い近接セルの信号品質を含み、
前記第2のトリガリング条件は、第1の絶対しきい値より低い前記参照セルの信号品質および第2の絶対しきい値より高い近接セルの信号品質を含む、測定方法。
【請求項５】
近接セルは、前記UEにサービスを提供しないセルと、前記UEにサービスを提供しない第1の基地局のセルと、前記UEにサービスを提供しない第2の基地局のセルとの少なくとも1つを含む請求項４に記載の方法。
【請求項６】
前記参照セルおよび前記近接セルは、周波数内セルであるか、または前記参照セルおよび前記近接セルは、周波数間セルであるか、または前記参照セルおよび前記近接セルは、周波数内セルであるが、異なる時間領域および/または異なる周波数帯で動作する請求項５に記載の方法。
【請求項７】
少なくとも第1のCPUおよび第1の送信機を含む測定装置であって、
前記第1のCPUは、ユーザ機器UEの測定構成情報を構成するように構成され、前記測定構成情報は、参照セルに対する測定レポートトリガリング条件を少なくとも含み、前記参照セルに対する前記測定レポートトリガリング条件が満たされている場合、前記測定構成情報は、測定結果を報告するように前記UEをトリガするために使用され、
前記第1の送信機は、前記測定構成情報を送信するように構成され、
前記UEは、前記UEのプライマリ基地局である第1の基地局、および前記UEのセカンダリ基地局である第2の基地局に接続され、前記参照セルは、前記第2の基地局のプライマリセルを含み、前記第2の基地局の前記プライマリセルは、前記UEがワイヤレスリンクモニタを実行するセルであり、
前記参照セルに対する前記測定レポートトリガリング条件は、第1のトリガリング条件および第2のトリガリング条件の少なくとも1つを含み、
前記第1のトリガリング条件は、しきい値だけ前記参照セルの信号品質より高い近接セルの信号品質を含み、
前記第2のトリガリング条件は、第1の絶対しきい値より低い前記参照セルの信号品質および第2の絶対しきい値より高い近接セルの信号品質を含む、測定装置。
【請求項８】
近接セルは、前記UEにサービスを提供しないセルと、前記UEにサービスを提供しない第1の基地局のセルと、前記UEにサービスを提供しない第2の基地局のセルとの少なくとも1つを含む請求項７に記載の装置。
【請求項９】
前記参照セルおよび前記近接セルは、周波数内セルであるか、または前記参照セルおよび前記近接セルは、周波数間セルであるか、または前記参照セルおよび前記近接セルは、周波数内セルであるが、異なる時間領域および/または異なる周波数帯で動作する請求項８に記載の装置。
【請求項１０】
ユーザ機器UEに適用される少なくとも第1の送受信機および第2のCPUを含む測定装置であって、
前記第1の送受信機は、基地局側によって構成された測定構成情報を受信し、参照セルに対する測定レポートトリガリング条件が満たされる場合、測定結果を報告するように構成され、前記測定構成情報は、前記参照セルに対する前記測定レポートトリガリング条件を少なくとも含み、
前記第2のCPUは、前記参照セルに対する前記測定レポートトリガリング条件が満たされているかどうかを決定するように構成され、
前記UEは、前記UEのプライマリ基地局である第1の基地局、および前記UEのセカンダリ基地局である第2の基地局に接続され、前記参照セルは、前記第2の基地局のプライマリセルを含み、前記第2の基地局の前記プライマリセルは、前記UEがワイヤレスリンクモニタを実行するセルであり、
前記参照セルに対する前記測定レポートトリガリング条件は、第1のトリガリング条件および第2のトリガリング条件の少なくとも1つを含み、
前記第1のトリガリング条件は、しきい値だけ前記参照セルの信号品質より高い近接セルの信号品質を含み、
前記第2のトリガリング条件は、第1の絶対しきい値より低い前記参照セルの信号品質および第2の絶対しきい値より高い近接セルの信号品質を含む、測定装置。
【請求項１１】
近接セルは、前記UEにサービスを提供しないセルと、前記UEにサービスを提供しない第1の基地局のセルと、前記UEにサービスを提供しない第2の基地局のセルとの少なくとも1つを含む、請求項１０に記載の装置。
【請求項１２】
前記参照セルおよび前記近接セルは、周波数内セルであるか、または前記参照セルおよび前記近接セルは、周波数間セルであるか、または前記参照セルおよび前記近接セルは、周波数内セルであるが、異なる時間領域および/または異なる周波数帯で動作する請求項１１に記載の装置。
【請求項１３】
ユーザ機器UEの測定構成情報を構成および送信する第1の手段を含む測定装置であって、
前記測定構成情報は、参照セルに対する測定レポートトリガリング条件を少なくとも含み、前記参照セルに対する前記測定レポートトリガリング条件が満たされている場合、前記測定構成情報は、測定結果を報告するように前記UEをトリガするために使用され、
前記UEは、前記UEのプライマリ基地局である第1の基地局、および前記UEのセカンダリ基地局である第2の基地局に接続され、前記参照セルは、前記第2の基地局のプライマリセルを含み、前記第2の基地局の前記プライマリセルは、前記UEがワイヤレスリンクモニタを実行するセルであり、
前記参照セルに対する前記測定レポートトリガリング条件は、第1のトリガリング条件および第2のトリガリング条件の少なくとも1つを含み、
前記第1のトリガリング条件は、しきい値だけ前記参照セルの信号品質より高い近接セルの信号品質を含み、
前記第2のトリガリング条件は、第1の絶対しきい値より低い前記参照セルの信号品質および第2の絶対しきい値より高い近接セルの信号品質を含む、測定装置。
【請求項１４】
基地局によって構成された測定構成情報を受信する第1の手段であって、前記測定構成情報は、参照セルに対する測定レポートトリガリング条件を少なくとも含む、第1の手段と、
前記参照セルに対する前記測定レポートトリガリング条件が満たされている場合、測定結果を報告する第2の手段とを含むユーザ機器UEであって、
前記UEは、前記UEのプライマリ基地局である第1の基地局、および前記UEのセカンダリ基地局である第2の基地局に接続され、前記参照セルは、前記第2の基地局のプライマリセルを含み、前記第2の基地局の前記プライマリセルは、前記UEがワイヤレスリンクモニタを実行するセルであり、
前記参照セルに対する前記測定レポートトリガリング条件は、第1のトリガリング条件および第2のトリガリング条件の少なくとも1つを含み、
前記第1のトリガリング条件は、しきい値だけ前記参照セルの信号品質より高い近接セルの信号品質を含み、
前記第2のトリガリング条件は、第1の絶対しきい値より低い前記参照セルの信号品質および第2の絶対しきい値より高い近接セルの信号品質を含む、UE。
【請求項１５】
請求項１〜３のいずれか一項に記載の方法をコンピュータに実行させるプログラムを記録しているコンピュータ可読記憶媒体。
【請求項１６】
請求項４〜６のいずれか一項に記載の方法をコンピュータに実行させるプログラムを記録しているコンピュータ可読記憶媒体。
【請求項１７】
コンピュータプログラムであって、前記コンピュータプログラムの実行は、請求項１〜３のいずれか一項に記載の方法を実行することである、コンピュータプログラム。
【請求項１８】
コンピュータプログラムであって、前記コンピュータプログラムの実行は、請求項４〜６のいずれか一項に記載の方法を実行することである、コンピュータプログラム。
【発明の詳細な説明】
【技術分野】
【０００１】
本出願は、参照によりその全体が本明細書に組み込まれている、2013年8月9日に中国知識産権局で出願した中国特許出願PCT/CN2013/081218号「MEASUREMENT METHOD AND DEVICE, INFORMATION INTERCHANGE METHOD AND DEVICE, AND RESIDENCE METHOD AND DEVICE」の優先権を主張するものである。
【０００２】
本発明は、通信技術の分野に関し、特に、測定の方法および装置、情報対話の方法および装置、ならびに滞留の方法および装置に関する。
【背景技術】
【０００３】
ネットワークの容量をさらに改善するために、ネットワークアーキテクチャは、同種ネットワークから異種混合ネットワークへと発展する。通常、マクロ基地局のアクセスポイントの有効範囲には、複数のアクセスポイントがある。UEは、複数のアクセスポイントを用いてワイヤレス接続を維持することができる。
【０００４】
発明者は、本発明の開発の間に、上記のアクセスポイントが、従来技術の光ファイバを通じて1つの基地局へ接続することを見つけた。ネットワークの発展により、複数のアクセスポイントは、1つの基地局に接続しない場合がある。すなわち、UEと通信する複数のアクセスポイントは、異なる基地局に属する場合がある。このように、複数のアクセスポイントが1つの基地局に接続する場合に適用される動作またはプロセスは、ネットワークの発展とともに最適化される必要がある。
【発明の概要】
【発明が解決しようとする課題】
【０００５】
上記を鑑みて、本発明の実施形態の目的は、ネットワークの発展で最適化される、測定方法、測定装置、情報対話方法、情報対話装置、滞留方法、および滞留装置を提供することである。
【課題を解決するための手段】
【０００６】
上記の目的を達成するために、本発明の実施形態により、以下の技術的解決策が提供される。
【０００７】
本発明の実施形態の第1の態様によると、測定方法が提供され、ユーザ機器UEの測定構成情報を構成および送信するステップであって、測定構成情報は、参照セルに対する測定レポートトリガリング条件を少なくとも含むため、参照セルに対する測定レポートトリガリング条件が満たされている場合、UEは測定結果を報告するステップを含む。
【０００８】
第1の態様に関連して、第1の可能な実装では、参照セルに対する測定レポートトリガリング条件は、第1のトリガリング条件および第2のトリガリング条件の少なくとも1つを含む。
【０００９】
第1のトリガリング条件は、しきい値だけ参照セルの信号品質より高い近接セルの信号品質を含む。
【００１０】
第2のトリガリング条件は、第1の絶対しきい値より低い参照セルの信号品質および第2の絶対しきい値より高い近接セルの信号品質を含む。
【００１１】
第1の態様の第1の可能な実装に関連して、第2の可能な実装では、参照セルは、第1の基地局のセルと、第2の基地局のセルと、UEとのワイヤレス通信を維持する唯一のものであるセルと、UEとのアップリンクワイヤレス通信を維持するセルと、UEとのダウンリンクワイヤレス通信を維持するセルと、参照セルの組の任意のセルと、参照セルの組のすべてのセルと、参照セルの組の第1の事前設定された条件を満たすセルと、指定されたセルとの少なくとも1つを含む。
【００１２】
第1の態様または第1の態様の第1の可能な実装に関連して、第3の可能な実装では、測定方法は、以下をさらに含む。
【００１３】
UEとのワイヤレス通信を維持するセルをプライマリセルに構成するステップであって、プライマリセルは、参照セルとして機能するため、UEは、近接セルの信号品質がしきい値だけプライマリセルの信号品質より高い場合、またはプライマリセルの信号品質が第1の絶対しきい値より低く、近接セルの信号品質が第2の絶対しきい値より高い場合、測定結果を報告するステップ。
【００１４】
第1の態様に関連して、第4の可能な実装では、参照セルに対する測定レポートトリガリング条件は、第3のトリガリング条件と、第4のトリガリング条件と、第5のトリガリング条件との少なくとも1つを含む。
【００１５】
第3のトリガリング条件は、第3の絶対しきい値より高い参照セルの信号品質を含む。
【００１６】
第4のトリガリング条件は、第4の絶対しきい値より低い参照セルの信号品質を含む。
【００１７】
第5のトリガリング条件は、しきい値だけ参照セルの信号品質より高い近接セルの信号品質を含む。
【００１８】
第1の態様の第4の可能な実装に関連して、第5の可能な実装では、参照セルは、指定された基地局のサービスを提供するセルと、指定された基地局のセカンダリセルと、指定されたサービスを提供するセルと、指定されたセカンダリセルと、指定された基地局のプライマリセルと、デフォルトのプライマリセルと、第1の基地局および第2の基地局のサービスを提供するセルと、サービスを提供するセルの組の第1の事前設定された条件を満たすセルと、サービスを提供するセルの組の任意のサービスを提供するセルと、サービスを提供するセルの組のすべてのサービスを提供するセルと、アンカーセルと、セカンダリセルの組のすべてのセカンダリセルと、セカンダリセルの組の任意のセカンダリセルと、セカンダリセルの組の第1の事前設定された条件を満たすセルとの少なくとも1つを含む。
【００１９】
第1の態様に関連して、第6の可能な実装では、参照セルに対する測定レポートトリガリング条件は、第6のトリガリング条件を含み、参照セルに対して測定結果を定期的に報告する。
【００２０】
第1の態様の第6の可能な実装に関連して、第7の可能な実装では、参照セルは、第1の基地局のセルと、第2の基地局のセルと、UEとのワイヤレス通信を維持する唯一のものであるセルと、UEとのアップリンクワイヤレス通信を維持するセルと、UEとのダウンリンクワイヤレス通信を維持するセルと、指定されたセルと、参照セルの組の任意のセルと、参照セルの組のすべてのセルと、参照セルの組の第1の事前設定された条件を満たすセルと、指定された基地局のサービスを提供するセルと、指定された基地局のセカンダリセルと、指定されたサービスを提供するセルと、指定されたセカンダリセルと、指定された基地局のプライマリセルと、デフォルトのプライマリセルと、第1の基地局および第2の基地局のサービスを提供するセルと、サービスを提供するセルの組の第1の事前設定された条件を満たすセルと、サービスを提供するセルの組の任意のサービスを提供するセルと、サービスを提供するセルの組のすべてのサービスを提供するセルと、アンカーセルと、セカンダリセルの組のすべてのセカンダリセルと、セカンダリセルの組の任意のセカンダリセルと、セカンダリセルの組の第1の事前設定された条件を満たすセルとの少なくとも1つを含む。
【００２１】
第1の態様の第2の可能な実装または第1の態様の第7の可能な実装に関連して、第8の可能な実装では、第1の基地局のセルは、第1の基地局のプライマリセルと、UEとのタイミング調整を維持する第1の基地局のセルとの少なくとも1つを含む。
【００２２】
第1の態様の第2の可能な実装または第1の態様の第7の可能な実装に関連して、第9の可能な実装では、第2の基地局のセルは、第2の基地局のプライマリセルと、UEとのタイミング調整を維持する第2の基地局のセルとの少なくとも1つを含む。
【００２３】
第1の態様の第2の可能な実装または第1の態様の第7の可能な実装に関連して、第10の可能な実装では、参照セルの組は、すべての基地局のプライマリセルと、指定された基地局のプライマリセルと、UEへのワイヤレスリンクを提供するすべてのプライマリセルとの少なくとも1つを含む。
【００２４】
第1の態様の第5の可能な実装または第1の態様の第7の可能な実装に関連して、第11の可能な実装では、指定されたセカンダリセルは、第2の基地局のプライマリセルを含む。
【００２５】
第1の可能な実装から第1の態様の第11の可能な実装のいずれか1つに関連して、第12の可能な実装では、近接セルは、UEにサービスを提供しないセルと、UEにサービスを提供しない第1の基地局のセルと、UEにサービスを提供しない第2の基地局のセルと、指定されたセルと、指定された基地局のサービスを提供するセルと、UEにサービスを提供しない指定された基地局のセルとの少なくとも1つを含む。
【００２６】
第1の態様の第12の可能な実装に関連して、第13の可能な実装では、プライマリセルは、第2の事前設定された条件を満たすセルを含み、第2の事前設定された条件は、UEによって実行されたワイヤレスリンクモニタにさらされることと、UEにRRCメッセージを送信することと、UEにRRCメッセージ処理の後にパケットを送信することと、RRCメッセージを生成することとの少なくとも1つを含む。
【００２７】
第1の態様の第12の可能な実装に関連して、第14の可能な実装では、参照セルおよび近接セルは、周波数内セル(intra-frequency cell)であるか、または参照セルおよび近接セルは、周波数間セル(inter-frequency cell)であるか、または参照セルおよび近接セルは、周波数内セルであるが、異なる時間領域および/または異なる周波数帯で動作する。
【００２８】
第1の態様の第12の可能な実装に関連して、第15の可能な実装では、参照セルの組の任意のセルおよび参照セルの組の別のセルは、周波数内セルまたは周波数間セルである。
【００２９】
サービスを提供するセルの組の任意のセルおよびサービスを提供するセルの組の別のセルは、周波数内セルまたは周波数間セルである。
【００３０】
セカンダリセルの組の任意のセルおよびセカンダリセルの組の別のセルは、周波数内セルまたは周波数間セルである。
【００３１】
第2の可能な実装から第1の態様の第15の可能な実装のいずれか1つに関連して、第16の可能な実装では、第1の事前設定された条件は、最も高い信号品質、または最も低い信号品質、または上位Nにある信号品質、または下位Mにある信号品質、またはX番目に高い信号品質、またはY番目に低い信号品質を含み、N、M、X、およびYは自然数である。
【００３２】
第1の態様の第16の可能な実装に関連して、第17の可能な実装では、第1の事前設定された条件を満たすセルは、事前設定された周期性により定期的に選択され、かつ/または選択トリガリング条件が満たされる場合、第1の事前設定された条件を満たすセルが選択される。
【００３３】
第1の態様の第17の可能な実装に関連して、第18の可能な実装では、周期性は、UEに基づく周期性と、測定レポートトリガリング条件に基づく周期性と、セルに基づく周期性と、セル周波数に基づく周期性との少なくとも1つを含む。
【００３４】
第1の態様の第18の可能な実装に関連して、第19の可能な実装では、選択トリガリング条件は、しきい値を超える測定結果の変動を少なくとも含む。
【００３５】
第1の態様の第19の可能な実装に関連して、第20の可能な実装では、変動は、第1の変動および第2の変動の少なくとも1つを含む。
【００３６】
第1の態様の第20の可能な実装に関連して、第21の可能な実装では、
【００３７】
第1の変動は、組の特定のセルまたは任意のセルに対する履歴測定結果と比較する現在の測定結果の変動を含む。
【００３８】
第2の変動は、同じ組の変動の任意の2つのセルの現在の測定結果間の比較値と、同じ組の変動の2つの選択されたセルの現在の測定結果間の比較値と、同じ組の変動の特定のセルおよび別のセルの現在の測定結果間の比較値との少なくとも1つを含む。
【００３９】
第1の態様の第21の可能な実装に関連して、第22の可能な実装では、特定のセルは、第1の事前設定された条件を満たすセルである。
【００４０】
第1の態様から第1の態様の第22の可能な実装のいずれか1つに関連して、第23の可能な実装では、測定方法は、UEの測定結果が報告されるレポートオブジェクトを構成するステップをさらに含むため、参照セルに対する測定レポートトリガリング条件が満たされる場合、UEは対応するレポートオブジェクトに測定結果を報告する。
【００４１】
第1の態様の第21の可能な実装、第1の態様の第22の可能な実装、または第1の態様の第23の可能な実装に関連して、第24の可能な実装では、レポートオブジェクトは、指定された基地局または指定されたセルである。
【００４２】
第1の態様の第23の可能な実装または第1の態様の第24の可能な実装に関連して、第25の可能な実装では、UEの測定結果が報告されるレポートオブジェクトを構成するステップは、以下を含む。
【００４３】
測定識別にレポートオブジェクトをマッピングするため、UEは、測定識別にマッピングされたレポートオブジェクトに測定結果を報告するステップ。
【００４４】
第1の態様の第23の可能な実装または第1の態様の第24の可能な実装に関連して、第26の可能な実装では、UEの測定結果が報告されるレポートオブジェクトを構成するステップは、指定された測定レポートトリガリング条件にレポートオブジェクトをマッピングするため、UEが、指定された測定レポートトリガリング条件にマッピングされたレポートオブジェクトに測定結果を報告するステップを含む。
【００４５】
第1の態様の第12の可能な実装に関連して、第27の可能な実装では、プライマリセルは、アップリンクに物理アップリンク制御チャネルを持つセルを含む。
【００４６】
本発明の実施形態の第2の態様によると、測定方法が提供され、測定方法は、ユーザ機器UEの測定構成情報を構成および送信するステップであって、測定構成情報は、参照セルに対する測定レポートトリガリング条件を少なくとも含むため、参照セルに対する測定レポートトリガリング条件が満たされている場合、UEは測定結果を報告するステップを含む。
【００４７】
第2の態様に関連して、第1の可能な実装では、参照セルに対する測定レポートトリガリング条件は、第1のトリガリング条件および第2のトリガリング条件の少なくとも1つを含む。
【００４８】
第1のトリガリング条件は、しきい値だけ参照セルの信号品質より高い近接セルの信号品質を含む。
【００４９】
第2のトリガリング条件は、第1の絶対しきい値より低い参照セルの信号品質および第2の絶対しきい値より高い近接セルの信号品質を含む。
【００５０】
第2の態様の第1の可能な実装に関連して、第2の可能な実装では、参照セルは、第1の基地局のセルと、第2の基地局のセルと、UEとのワイヤレス通信を維持する唯一のものであるセルと、UEとのアップリンクワイヤレス通信を維持するセルと、UEとのダウンリンクワイヤレス通信を維持するセルと、参照セルの組の任意のセルと、参照セルの組のすべてのセルと、参照セルの組の第1の事前設定された条件を満たすセルと、指定されたセルとの少なくとも1つを含む。
【００５１】
第2の態様または第2の態様の第1の可能な実装に関連して、第3の可能な実装では、測定方法は、以下をさらに含む。
【００５２】
UEとのワイヤレス通信を維持するセルをプライマリセルに構成するステップであって、プライマリセルは、参照セルとして機能するため、UEは、近接セルの信号品質がしきい値だけプライマリセルの信号品質より高い場合、またはプライマリセルの信号品質が第1の絶対しきい値より低く、近接セルの信号品質が第2の絶対しきい値より高い場合、測定結果を報告するステップ。
【００５３】
第2の態様に関連して、第4の可能な実装では、参照セルに対する測定レポートトリガリング条件は、第3のトリガリング条件と、第4のトリガリング条件と、第5のトリガリング条件との少なくとも1つを含む。
【００５４】
第3のトリガリング条件は、第3の絶対しきい値より高い参照セルの信号品質を含む。
【００５５】
第4のトリガリング条件は、第4の絶対しきい値より低い参照セルの信号品質を含む。
【００５６】
第5のトリガリング条件は、しきい値だけ参照セルの信号品質より高い近接セルの信号品質を含む。
【００５７】
第2の態様の第4の可能な実装に関連して、第5の可能な実装では、参照セルは、指定された基地局のサービスを提供するセルと、指定された基地局のセカンダリセルと、指定されたサービスを提供するセルと、指定されたセカンダリセルと、指定された基地局のプライマリセルと、デフォルトのプライマリセルと、第1の基地局および第2の基地局のサービスを提供するセルと、サービスを提供するセルの組の第1の事前設定された条件を満たすセルと、サービスを提供するセルの組の任意のサービスを提供するセルと、サービスを提供するセルの組のすべてのサービスを提供するセルと、アンカーセルと、セカンダリセルの組のすべてのセカンダリセルと、セカンダリセルの組の任意のセカンダリセルと、セカンダリセルの組の第1の事前設定された条件を満たすセルとの少なくとも1つを含む。
【００５８】
第2の態様に関連して、第6の可能な実装では、参照セルに対する測定レポートトリガリング条件は、第6のトリガリング条件を含み、参照セルに対して測定結果を定期的に報告する。
【００５９】
第2の態様の第6の可能な実装に関連して、第7の可能な実装では、参照セルは、第1の基地局のセルと、第2の基地局のセルと、UEとのワイヤレス通信を維持する唯一のものであるセルと、UEとのアップリンクワイヤレス通信を維持するセルと、UEとのダウンリンクワイヤレス通信を維持するセルと、指定されたセルと、参照セルの組の任意のセルと、参照セルの組のすべてのセルと、参照セルの組の第1の事前設定された条件を満たすセルと、指定された基地局のサービスを提供するセルと、指定された基地局のセカンダリセルと、指定されたサービスを提供するセルと、指定されたセカンダリセルと、指定された基地局のプライマリセルと、デフォルトのプライマリセルと、第1の基地局および第2の基地局のサービスを提供するセルと、サービスを提供するセルの組の第1の事前設定された条件を満たすセルと、サービスを提供するセルの組の任意のサービスを提供するセルと、サービスを提供するセルの組のすべてのサービスを提供するセルと、アンカーセルと、セカンダリセルの組のすべてのセカンダリセルと、セカンダリセルの組の任意のセカンダリセルと、セカンダリセルの組の第1の事前設定された条件を満たすセルとの少なくとも1つを含む。
【００６０】
第2の態様の第2の可能な実装または第2の態様の第7の可能な実装に関連して、第8の可能な実装では、第1の基地局のセルは、第1の基地局のプライマリセルと、UEとのタイミング調整を維持する第1の基地局のセルとの少なくとも1つを含む。
【００６１】
第2の態様の第2の可能な実装または第2の態様の第7の可能な実装に関連して、第9の可能な実装では、第2の基地局のセルは、第2の基地局のプライマリセルと、UEとのタイミング調整を維持する第2の基地局のセルとの少なくとも1つを含む。
【００６２】
第2の態様の第2の可能な実装または第2の態様の第7の可能な実装に関連して、第10の可能な実装では、参照セルの組は、すべての基地局のプライマリセルと、指定された基地局のプライマリセルと、UEへのワイヤレスリンクを提供するすべてのプライマリセルとの少なくとも1つを含む。
【００６３】
第2の態様の第5の可能な実装または第2の態様の第7の可能な実装に関連して、第11の可能な実装では、指定されたセカンダリセルは、第2の基地局のプライマリセルを含む。
【００６４】
第1の可能な実装から第2の態様の第11の可能な実装のいずれか1つに関連して、第12の可能な実装では、近接セルは、UEにサービスを提供しないセルと、UEにサービスを提供しない第1の基地局のセルと、UEにサービスを提供しない第2の基地局のセルと、指定されたセルと、指定された基地局のサービスを提供するセルと、UEにサービスを提供しない指定された基地局のセルとの少なくとも1つを含む。
【００６５】
第2の態様の第12の可能な実装に関連して、第13の可能な実装では、主要なセルは、第2の事前設定された条件を満たすセルを含み、第2の事前設定された条件は、UEによって実行されたワイヤレスリンクモニタにさらされることと、UEにRRCメッセージを送信することと、UEにRRCメッセージ処理の後にパケットを送信することと、RRCメッセージを生成することとの少なくとも1つを含む。
【００６６】
第2の態様の第12の可能な実装に関連して、第14の可能な実装では、参照セルおよび近接セルは、周波数内セルであるか、または参照セルおよび近接セルは、周波数間セルであるか、または参照セルおよび近接セルは、周波数内セルであるが、異なる時間領域および/または異なる周波数帯で動作する。
【００６７】
第2の態様の第12の可能な実装に関連して、第15の可能な実装では、参照セルの組の任意のセルおよび参照セルの組の別のセルは、周波数内セルまたは周波数間セルである。
【００６８】
サービスを提供するセルの組の任意のセルおよびサービスを提供するセルの組の別のセルは、周波数内セルまたは周波数間セルである。
【００６９】
セカンダリセルの組の任意のセルおよびセカンダリセルの組の別のセルは、周波数内セルまたは周波数間セルである。
【００７０】
第2の態様の第2の可能な実装から第15の可能な実装のいずれか1つに関連して、第16の可能な実装では、第1の事前設定された条件は、最も高い信号品質、または最も低い信号品質、または上位Nにある信号品質、または下位Mにある信号品質、またはX番目に高い信号品質、またはY番目に低い信号品質を含み、N、M、X、およびYは自然数である。
【００７１】
第2の態様の第16の可能な実装に関連して、第17の可能な実装では、第1の事前設定された条件を満たすセルは、事前設定された周期性により定期的に選択され、かつ/または選択トリガリング条件が満たされる場合、第1の事前設定された条件を満たすセルが選択される。
【００７２】
第2の態様の第17の可能な実装に関連して、第18の可能な実装では、周期性は、UEに基づく周期性と、測定レポートトリガリング条件に基づく周期性と、セルに基づく周期性と、セル周波数に基づく周期性との少なくとも1つを含む。
【００７３】
第2の態様の第18の可能な実装に関連して、第19の可能な実装では、選択トリガリング条件は、しきい値を超える測定結果の変動を少なくとも含む。
【００７４】
第2の態様の第19の可能な実装に関連して、第20の可能な実装では、変動は、第1の変動および第2の変動の少なくとも1つを含む。
【００７５】
第2の態様の第20の可能な実装に関連して、第21の可能な実装では、第1の変動は、組の特定のセルまたは任意のセルに対する履歴測定結果と比較する現在の測定結果の変動を含む。
【００７６】
第2の変動は、同じ組の変動の任意の2つのセルの現在の測定結果間の比較値と、同じ組の変動の2つの選択されたセルの現在の測定結果間の比較値と、同じ組の変動の特定のセルおよび別のセルの現在の測定結果間の比較値との少なくとも1つを含む。
【００７７】
第2の態様の第21の可能な実装に関連して、第22の可能な実装では、特定のセルは、第1の事前設定された条件を満たすセルである。
【００７８】
第2の態様から第2の態様の第22の可能な実装のいずれか1つに関連して、第23の可能な実装では、測定方法は、UEの測定結果が報告されるレポートオブジェクトを構成するステップをさらに含むため、参照セルに対する測定レポートトリガリング条件が満たされる場合、UEは対応するレポートオブジェクトに測定結果を報告する。
【００７９】
第2の態様の第21の可能な実装、第2の態様の第22の可能な実装、または第2の態様の第23の可能な実装に関連して、第24の可能な実装では、レポートオブジェクトは、指定された基地局または指定されたセルである。
【００８０】
第2の態様の第23の可能な実装または第2の態様の第24の可能な実装に関連して、第25の可能な実装では、UEの測定結果が報告されるレポートオブジェクトを構成するステップは、以下を含む。
【００８１】
測定識別にレポートオブジェクトをマッピングするため、UEは、測定識別にマッピングされたレポートオブジェクトに測定結果を報告するステップ。
【００８２】
第2の態様の第23の可能な実装または第2の態様の第24の可能な実装に関連して、第26の可能な実装では、UEの測定結果が報告されるレポートオブジェクトを構成するステップは、指定された測定レポートトリガリング条件にレポートオブジェクトをマッピングするため、UEが、指定された測定レポートトリガリング条件にマッピングされたレポートオブジェクトに測定結果を報告するステップを含む。
【００８３】
第2の態様の第12の可能な実装に関連して、第27の可能な実装では、プライマリセルは、アップリンクに物理アップリンク制御チャネルを持つセルを含む。
【００８４】
本発明の実施形態の第2の態様によると、ユーザ機器UEによって実行される測定方法が提供され、測定方法は以下を含む。
【００８５】
基地局側によって構成された測定構成情報を受信するステップであって、測定構成情報は、参照セルに対する測定レポートトリガリング条件を少なくとも含むステップ。
【００８６】
参照セルに対する測定レポートトリガリング条件が満たされる場合、測定結果を報告するステップ。
【００８７】
第2の態様に関連して、第1の可能な実装では、参照セルに対する測定レポートトリガリング条件は、第1のトリガリング条件および第2のトリガリング条件の少なくとも1つを含む。
【００８８】
第1のトリガリング条件は、しきい値だけ参照セルの信号品質より高い近接セルの信号品質を含む。
【００８９】
第2のトリガリング条件は、第1の絶対しきい値より低い参照セルの信号品質および第2の絶対しきい値より高い近接セルの信号品質を含む。
【００９０】
第2の態様の第1の可能な実装に関連して、第2の可能な実装では、参照セルは、第1の基地局のセルと、第2の基地局のセルと、UEとのワイヤレス通信を維持する唯一のものであるセルと、UEとのアップリンクワイヤレス通信を維持するセルと、UEとのダウンリンクワイヤレス通信を維持するセルと、参照セルの組の任意のセルと、参照セルの組のすべてのセルと、参照セルの組の第1の事前設定された条件を満たすセルと、指定されたセルとの少なくとも1つを含む。
【００９１】
第2の態様または第2の態様の第1の可能な実装に関連して、第3の可能な実装では、測定方法は、以下をさらに含む。
【００９２】
近接セルの信号品質がしきい値だけ基地局側によって構成されたプライマリセルの信号品質より高い場合、または基地局側によって構成されたプライマリセルの信号品質が第1の絶対しきい値より低く、近接セルの信号品質が第2の絶対しきい値より高い場合、測定結果を報告するステップであって、プライマリセルは参照セルとして機能するステップ。
【００９３】
プライマリセルは、UEとのワイヤレス通信を維持するセルである。
【００９４】
第2の態様に関連して、第4の可能な実装では、参照セルに対する測定レポートトリガリング条件は、第3のトリガリング条件と、第4のトリガリング条件と、第5のトリガリング条件との少なくとも1つを含む。
【００９５】
第3のトリガリング条件は、第3の絶対しきい値より高い参照セルの信号品質を含む。
【００９６】
第4のトリガリング条件は、第4の絶対しきい値より低い参照セルの信号品質を含む。
【００９７】
第5のトリガリング条件は、しきい値だけ参照セルの信号品質より高い近接セルの信号品質を含む。
【００９８】
第2の態様の第4の可能な実装に関連して、第5の可能な実装では、参照セルは、指定された基地局のサービスを提供するセルと、指定された基地局のセカンダリセルと、指定されたサービスを提供するセルと、指定されたセカンダリセルと、指定された基地局のプライマリセルと、デフォルトのプライマリセルと、第1の基地局および第2の基地局のサービスを提供するセルと、サービスを提供するセルの組の第1の事前設定された条件を満たすセルと、サービスを提供するセルの組の任意のサービスを提供するセルと、サービスを提供するセルの組のすべてのサービスを提供するセルと、アンカーセルと、セカンダリセルの組のすべてのセカンダリセルと、セカンダリセルの組の任意のセカンダリセルと、セカンダリセルの組の第1の事前設定された条件を満たすセルとの少なくとも1つを含む。
【００９９】
第2の態様に関連して、第6の可能な実装では、参照セルに対する測定レポートトリガリング条件は、第6のトリガリング条件を含み、参照セルに対して測定結果を定期的に報告する。
【０１００】
第2の態様の第6の可能な実装に関連して、第7の可能な実装では、参照セルは、第1の基地局のセルと、第2の基地局のセルと、UEとのワイヤレス通信を維持する唯一のものであるセルと、UEとのアップリンクワイヤレス通信を維持するセルと、UEとのダウンリンクワイヤレス通信を維持するセルと、指定されたセルと、参照セルの組の任意のセルと、参照セルの組のすべてのセルと、参照セルの組の第1の事前設定された条件を満たすセルと、指定された基地局のサービスを提供するセルと、指定された基地局のセカンダリセルと、指定されたサービスを提供するセルと、指定されたセカンダリセルと、指定された基地局のプライマリセルと、デフォルトのプライマリセルと、第1の基地局および第2の基地局のサービスを提供するセルと、サービスを提供するセルの組の第1の事前設定された条件を満たすセルと、サービスを提供するセルの組の任意のサービスを提供するセルと、サービスを提供するセルの組のすべてのサービスを提供するセルと、アンカーセルと、セカンダリセルの組のすべてのセカンダリセルと、セカンダリセルの組の任意のセカンダリセルと、セカンダリセルの組の第1の事前設定された条件を満たすセルとの少なくとも1つを含む。
【０１０１】
第2の態様の第2の可能な実装または第2の態様の第7の可能な実装に関連して、第8の可能な実装では、第1の基地局のセルは、第1の基地局のプライマリセルと、UEとのタイミング調整を維持する第1の基地局のセルとの少なくとも1つを含む。
【０１０２】
第2の基地局のセルは、第2の基地局のプライマリセルと、UEとのタイミング調整を維持する第2の基地局のセルとの少なくとも1つを含む。
【０１０３】
参照セルの組は、すべての基地局のプライマリセルと、指定された基地局のプライマリセルと、UEへのワイヤレスリンクを提供するすべてのプライマリセルとの少なくとも1つを含む。
【０１０４】
指定されたセカンダリセルは、第2の基地局のプライマリセルを含む。
【０１０５】
第2の態様の第1の可能な実装から第8の可能な実装のいずれか1つに関連して、第9の可能な実装では、近接セルは、UEにサービスを提供しないセルと、UEにサービスを提供しない第1の基地局のセルと、UEにサービスを提供しない第2の基地局のセルと、指定されたセルと、指定された基地局のサービスを提供するセルと、UEにサービスを提供しない指定された基地局のセルとの少なくとも1つを含む。
【０１０６】
第2の態様の第9の可能な実装に関連して、第10の可能な実装では、主要なセルは、第2の事前設定された条件を満たすセルを含み、第2の事前設定された条件は、UEによって実行されたワイヤレスリンクモニタにさらされることと、UEにRRCメッセージを送信することと、UEにRRCメッセージ処理の後にパケットを送信することと、RRCメッセージを生成することとの少なくとも1つを含む。
【０１０７】
第2の態様の第9の可能な実装に関連して、第11の可能な実装では、参照セルおよび近接セルは、周波数内セルであるか、または参照セルおよび近接セルは、周波数間セルであるか、または参照セルおよび近接セルは、周波数内セルであるが、異なる時間領域および/または異なる周波数帯で動作する。
【０１０８】
第2の態様の第9の可能な実装に関連して、第12の可能な実装では、参照セルの組の任意のセルおよび参照セルの組の別のセルは、周波数内セルまたは周波数間セルである。
【０１０９】
サービスを提供するセルの組の任意のセルおよびサービスを提供するセルの組の別のセルは、周波数内セルまたは周波数間セルである。
【０１１０】
セカンダリセルの組の任意のセルおよびセカンダリセルの組の別のセルは、周波数内セルまたは周波数間セルである。
【０１１１】
第2の態様の第2の可能な実装から第12の可能な実装のいずれか1つに関連して、第13の可能な実装では、第1の事前設定された条件は、最も高い信号品質、または最も低い信号品質、または上位Nにある信号品質、または下位Mにある信号品質、またはX番目に高い信号品質、またはY低番目に低い信号品質を含み、N、M、X、およびYは自然数である。
【０１１２】
第2の態様の第13の可能な実装に関連して、第14の可能な実装では、第1の事前設定された条件を満たすセルは、事前設定された周期性により定期的に選択され、かつ/または選択トリガリング条件が満たされる場合、第1の事前設定された条件を満たすセルが選択される。
【０１１３】
第2の態様の第14の可能な実装に関連して、第15の可能な実装では、周期性は、UEに基づく周期性と、測定レポートトリガリング条件に基づく周期性と、セルに基づく周期性と、セル周波数に基づく周期性との少なくとも1つを含む。
【０１１４】
第2の態様の第15の可能な実装に関連して、第16の可能な実装では、選択トリガリング条件は、しきい値を超える測定結果の変動を少なくとも含む。
【０１１５】
第2の態様の第16の可能な実装に関連して、第17の可能な実装では、変動は、第1の変動および第2の変動の少なくとも1つを含む。
【０１１６】
第2の態様の第17の可能な実装に関連して、第18の可能な実装では、第1の変動は、組の特定のセルまたは任意のセルに対する履歴測定結果と比較する現在の測定結果の変動を含む。
【０１１７】
第2の変動は、同じ組の変動の任意の2つのセルの現在の測定結果間の比較値と、同じ組の変動の2つの選択されたセルの現在の測定結果間の比較値と、同じ組の変動の特定のセルおよび別のセルの現在の測定結果間の比較値との少なくとも1つを含む。
【０１１８】
第2の態様の第18の可能な実装に関連して、第19の可能な実装では、特定のセルは、第1の事前設定された条件を満たすセルである。
【０１１９】
第2の態様から第2の態様の第19の可能な実装のいずれか1つに関連して、第20の可能な実装では、測定方法は、測定結果が報告される、基地局側によって構成される、レポートオブジェクトを受信するステップをさらに含む。
【０１２０】
第2の態様の第20の可能な実装に関連して、第21の可能な実装では、測定結果を報告するステップは、対応するレポートオブジェクトに測定結果を報告するステップを含む。
【０１２１】
第2の態様の第20の可能な実装または第2の態様の第21の可能な実装に関連して、第22の可能な実装では、レポートオブジェクトは、測定識別にマッピングされる。
【０１２２】
対応するレポートオブジェクトに、測定結果を報告するステップは、測定識別にマッピングされたレポートオブジェクトに測定結果を報告するステップを含む。
【０１２３】
第2の態様の第20の可能な実装または第2の態様の第21の可能な実装に関連して、第23の可能な実装では、レポートオブジェクトは、指定された測定レポートトリガリング条件にマッピングされる。
【０１２４】
対応するレポートオブジェクトに、測定結果を報告するステップは、以下を含む。
【０１２５】
指定された測定レポートトリガリング条件にマッピングされたレポートオブジェクトに測定結果を報告するステップ。
【０１２６】
本発明の実施形態の第3の態様によると、測定方法が提供され、測定方法は以下を含む。
【０１２７】
ユーザ機器UEの測定結果が報告されるレポートオブジェクトを構成するため、UEは、対応するレポートオブジェクトに測定結果を報告するステップ。
【０１２８】
第3の態様に関連して、第1の可能な実装では、レポートオブジェクトは、指定された基地局または指定されたセルである。
【０１２９】
第3の態様または第3の態様の第1の可能な実装に関連して、第2の可能な実装では、UEの測定結果が報告されるレポートオブジェクトを構成するステップは、測定識別にレポートオブジェクトをマッピングするため、UEが、測定識別にマッピングされたレポートオブジェクトに測定結果を報告するステップを含む。
【０１３０】
第3の態様または第3の態様の第1の可能な実装に関連して、第3の可能な実装では、UEの測定結果が報告されるレポートオブジェクトを構成するステップは、以下を含む。
【０１３１】
指定された測定レポートトリガリング条件にレポートオブジェクトをマッピングするため、UEは、指定された測定レポートトリガリング条件にマッピングされたレポートオブジェクトに測定結果を報告するステップ。
【０１３２】
本発明の実施形態の第4の態様によると、測定方法が提供され、測定方法は以下を含む。
【０１３３】
測定結果が報告される、基地局側によって構成される、レポートオブジェクトを受信するステップ。
【０１３４】
対応するレポートオブジェクトに測定結果を報告するステップ。
【０１３５】
第4の態様に関連して、第1の可能な実装では、レポートオブジェクトは、測定識別にマッピングされ、対応するレポートオブジェクトに、測定結果を報告するステップは、測定識別にマッピングされたレポートオブジェクトに測定結果を報告するステップを含む。
【０１３６】
第4の態様に関連して、第2の可能な実装では、レポートオブジェクトは、指定された測定レポートトリガリング条件にマッピングされ、対応するレポートオブジェクトに、測定結果を報告するステップは、指定された測定レポートトリガリング条件にマッピングされたレポートオブジェクトに測定結果を報告するステップを含む。
【０１３７】
本発明の実施形態の第5の態様によると、第3の基地局によって実行される情報対話方法が提供され、情報対話方法は以下を含む。
【０１３８】
不連続のデータ送信パラメータの構成情報に対して第4の基地局と対話するため、基地局側が、ユーザ機器のスケジューリングおよび移動性管理の少なくとも1つを実行するステップであって、基地局側は、第3の基地局および第4の基地局の少なくとも1つを含むステップ。
【０１３９】
第5の態様に関連して、第5の態様の第1の可能な実装では、不連続のデータ送信パラメータの構成情報に対して第4の基地局と対話するステップは、ハンドオーバプロセス、データ配布チャネルのセットアッププロセス、基地局インターフェースのセットアッププロセス、または基地局構成の更新プロセスに適用される。
【０１４０】
第5の態様または第5の態様の第1の可能な実装に関連して、第5の態様の第2の可能な実装では、不連続のデータ送信パラメータの構成情報に対して第4の基地局と対話するステップは、第4の基地局によって送信された第4の基地局の不連続のデータ送信パラメータの構成情報を受信するステップを含む。
【０１４１】
第5の態様の第2の可能な実装に関連して、第5の態様の第3の可能な実装では、不連続のデータ送信パラメータの構成情報に対して第4の基地局と対話するステップは、肯定応答情報を返すステップをさらに含む。
【０１４２】
第5の態様の第2の可能な実装または第5の態様の第3の可能な実装に関連して、第5の態様の第4の可能な実装では、不連続のデータ送信パラメータの構成情報に対して第4の基地局と対話するステップは、第3の基地局の不連続のデータ送信パラメータの構成情報を第4の基地局に送信するステップおよび/または第4の基地局によって使用されることが提案される不連続のデータ送信パラメータの構成情報を第4の基地局に送信するステップをさらに含む。
【０１４３】
第5の態様の第4の可能な実装に関連して、第5の態様の第5の可能な実装では、第3の基地局の不連続のデータ送信パラメータの構成情報および/または第4の基地局によって使用されることが提案される不連続のデータ送信パラメータの構成情報は、肯定応答情報によって運ばれる。
【０１４４】
第5の態様の第2の可能な実装から第5の可能な実装のいずれか1つに関連して、第5の態様の第6の可能な実装では、不連続のデータ送信パラメータの構成情報に対して第4の基地局と対話するステップは、第4の基地局の不連続のデータ送信パラメータの構成情報を受信する前に、第4の基地局への第1の要求情報を開始するステップであって、第1の要求情報は、第4の基地局の不連続のデータ送信パラメータの構成情報を送信することを第4の基地局に要求するように構成されるステップをさらに含む。
【０１４５】
第5の態様の第4の可能な実装に関連して、第5の態様の第7の可能な実装では、不連続のデータ送信パラメータの構成情報に対して第4の基地局と対話するステップは、以下をさらに含む。
【０１４６】
第4の基地局へ第3の基地局の不連続のデータ送信パラメータの構成情報を送信する前に、第4の基地局によって開始された第2の要求情報を受信し、かつ/または第4の基地局によって使用されることが提案される不連続のデータ送信パラメータの構成情報を第4の基地局に送信するステップであって、第2の要求情報は、第3の基地局の不連続のデータ送信パラメータの構成情報を送信することを第3の基地局に要求し、かつ/または第4の基地局へ第4の基地局によって使用されることが提案される不連続のデータ送信パラメータの構成情報を送信するように構成されるステップ。
【０１４７】
第5の態様または第5の態様の第1の可能な実装に関連して、第5の態様の第8の可能な実装では、不連続のデータ送信パラメータの構成情報に対して第4の基地局と対話するステップは、サードパーティデバイスから第1のデータを受信するステップを含み、サードパーティデバイスからの第1のデータは、サードパーティデバイスによって転送される第4の基地局の不連続のデータ送信パラメータの構成情報と、第4の基地局が第3の基地局使用を提案し、サードパーティデバイスによって転送される不連続のデータ送信パラメータの構成情報と、サードパーティデバイスが第3の基地局使用を提案する不連続のデータ送信パラメータの構成情報との少なくとも1つを含む。
【０１４８】
第5の態様の第8の可能な実装に関連して、第5の態様の第9の可能な実装では、不連続のデータ送信パラメータの構成情報に対して第4の基地局と対話するステップは、サードパーティデバイスから第1のデータを受信する前に、サードパーティデバイスに第1の要求情報を開始および送信するステップであって、第1の要求情報は、サードパーティデバイスによって第4の基地局に転送され、第1の要求情報は、第4の基地局の不連続のデータ送信パラメータの構成情報を送信することを第4の基地局に要求するように少なくとも構成されるステップをさらに含む。
【０１４９】
第5の態様の第8の可能な実装または第5の態様の第9の可能な実装に関連して、第5の態様の第10の可能な実装では、不連続のデータ送信パラメータの構成情報に対して第4の基地局と対話するステップは、サードパーティデバイスに第3の基地局の不連続のデータ送信パラメータの構成情報を送信し、かつ/または第4の基地局によって使用されることが提案される不連続のデータ送信パラメータの構成情報をサードパーティデバイスに送信するため、サードパーティデバイスは、不連続のデータ送信パラメータの構成情報を転送するステップをさらに含む。
【０１５０】
第5の態様の第10の可能な実装に関連して、第5の態様の第11の可能な実装では、不連続のデータ送信パラメータの構成情報に対して第4の基地局と対話するステップは、サードパーティデバイスに第3の基地局の不連続のデータ送信パラメータの構成情報を送信する前に、第4の基地局によって開始され、サードパーティデバイスによって転送された第2の要求情報を受信し、かつ/または第4の基地局によって使用されることが提案される不連続のデータ送信パラメータの構成情報をサードパーティデバイスに送信するステップであって、第2の要求情報は、第3の基地局に、第3の基地局の不連続のデータ送信パラメータの構成情報を送信し、かつ/または第4の基地局によって使用されることが提案される不連続のデータ送信パラメータの構成情報を送信することを要求するように構成されるステップをさらに含む。
【０１５１】
第5の態様の第8の可能な実装から第11の可能な実装のいずれか1つに関連して、第5の態様の第12の可能な実装では、不連続のデータ送信パラメータの構成情報に対して第4の基地局と対話するステップは、提案される不連続のデータ送信パラメータの構成情報をアクティブ化するステップをさらに含む。
【０１５２】
第5の態様または第5の態様の第1の可能な実装に関連して、第5の態様の第13の可能な実装では、情報対話方法は、ユーザ機器UEに第3のデータを送信するステップであって、第3のデータは、第3の基地局および/または第4の基地局の不連続のデータ送信パラメータの構成情報を含むため、UEは、少なくとも第3のデータにより測定および/またはデータ送信を実行するステップをさらに含む。
【０１５３】
第5の態様の第13の可能な実装に関連して、第5の態様の第14の可能な実装では、ユーザ機器UEに第3のデータを送信するステップは、ブロードキャストと、RRCの特別のシグナリングと、メディアアクセス制御制御要素MACCEと、物理レイヤコマンドとの少なくとも1つによってUEに第3のデータを送信するステップを含む。
【０１５４】
第5の態様から第5の態様の第14の可能な実装のいずれか1つに関連して、第5の態様の第15の可能な実装では、不連続のデータ送信パラメータの構成情報は、不連続受信DRXパラメータの構成情報および不連続送信DTXパラメータの構成情報の少なくとも1つを含む。
【０１５５】
第5の態様の第15の可能な実装に関連して、第5の態様の第16の可能な実装では、DRXパラメータの構成情報は、セルに対するユーザ機器UEのDRX構成情報、または不連続送信DTXパラメータの構成情報に基づくDRX構成情報である。
【０１５６】
第5の態様の第16の可能な実装に関連して、第5の態様の第17の可能な実装では、セルのUEのDRX構成情報は、セルのUEのシグナリング無線ベアラSRBのDRX構成情報、またはセルのUEのデータ無線ベアラDRBのDRX構成情報、または運ばれたデータ配布のDRX構成情報である。
【０１５７】
第5の態様の第15の可能な実装から第17の可能な実装のいずれか1つに関連して、第5の態様の第18の可能な実装では、DRXパラメータの構成情報は、時間領域にけるDRXパラメータの構成情報および周波数領域におけるDRXパラメータの構成情報の少なくとも1つを含む。
【０１５８】
第5の態様の第15の可能な実装から第18の可能な実装のいずれか1つに関連して、第5の態様の第19の可能な実装では、不連続受信は、UEによって実行された不連続受信および基地局によって実行された不連続受信の少なくとも1つを含む。
【０１５９】
第5の態様の第15の可能な実装に関連して、第5の態様の第20の可能な実装では、DTXパラメータは、基地局レベルのDTXパラメータまたはUEレベルのDTXパラメータである。
【０１６０】
第5の態様の第15の可能な実装または第5の態様の第20の可能な実装に関連して、第5の態様の第21の可能な実装では、DTXパラメータの構成情報は、時間領域におけるDRXパラメータの構成情報および周波数領域におけるDRXパラメータの構成情報の少なくとも1つを含む。
【０１６１】
第5の態様の第15の可能な実装、第5の態様の第20の可能な実装、または第5の態様の第21の可能な実装に関連して、第5の態様の第22の可能な実装では、不連続送信は、基地局によって実行された不連続送信およびUEによって実行された不連続送信の少なくとも1つを含む。
【０１６２】
第5の態様の第6の可能な実装に関連して、第5の態様の第23の可能な実装では、第1の要求情報は、方法がハンドオーバプロセスに適用される場合、UEに対するハンドオーバ要求であり、第1の要求情報は、方法がデータ配布チャネルのセットアッププロセスに適用される場合、UEに対するデータ配布要求である。
【０１６３】
本発明の実施形態の第6の態様によると、第4の基地局によって実行された情報対話方法が提供され、情報対話方法は、不連続のデータ送信パラメータの構成情報に対して第3の基地局と対話するため、基地局側が、ユーザ機器のスケジューリングおよび移動性管理の少なくとも1つを実行するステップであって、基地局側が、第3の基地局および第4の基地局の少なくとも1つを含むステップを含む。
【０１６４】
第6の態様に関連して、第6の態様の第1の可能な実装では、不連続のデータ送信パラメータの構成情報に対して第3の基地局と対話するステップは、ハンドオーバプロセス、データ配布チャネルのセットアッププロセス、基地局インターフェースのセットアッププロセス、または基地局構成の更新プロセスに適用される。
【０１６５】
第6の態様の第1の可能な実装に関連して、第6の態様の第2の可能な実装では、不連続のデータ送信パラメータの構成情報に対して第3の基地局と対話するステップは、第4の基地局の不連続のデータ送信パラメータの構成情報を第3の基地局に送信するステップを含む。
【０１６６】
第6の態様の第2の可能な実装に関連して、第6の態様の第3の可能な実装では、不連続のデータ送信パラメータの構成情報に対して第3の基地局と対話するステップは、第3の基地局によって返された肯定応答情報を受信するステップをさらに含む。
【０１６７】
第6の態様の第2の可能な実装または第6の態様の第3の可能な実装に関連して、第6の態様の第4の可能な実装では、不連続のデータ送信パラメータの構成情報に対して第3の基地局と対話するステップは、第3の基地局の不連続のデータ送信パラメータの構成情報を受信するステップ、および/または第3の基地局が第4の基地局使用を提案する不連続のデータ送信パラメータの構成情報を受信するステップをさらに含む。
【０１６８】
第6の態様の第4の可能な実装に関連して、第6の態様の第5の可能な実装では、第3の基地局の不連続のデータ送信パラメータの構成情報および/または第3の基地局が第4の基地局使用を提案する不連続のデータ送信パラメータの構成情報は、肯定応答情報によって運ばれる。
【０１６９】
第6の態様の第2の可能な実装から第5の可能な実装のいずれか1つに関連して、第6の態様の第6の可能な実装では、不連続のデータ送信パラメータの構成情報に対して第3の基地局と対話するステップは、第3の基地局に第4の基地局の不連続のデータ送信パラメータの構成情報を送信する前に、第3の基地局によって開始された第1の要求情報を受信するステップをさらに含み、第1の要求情報は、第4の基地局の不連続のデータ送信パラメータの構成情報を送信することを第4の基地局に要求するように構成される。
【０１７０】
第6の態様の第4の可能な実装に関連して、第6の態様の第7の可能な実装では、不連続のデータ送信パラメータの構成情報に対して第3の基地局と対話するステップは、第3の基地局の不連続のデータ送信パラメータの構成情報および/または第3の基地局が第4の基地局使用を提案する不連続のデータ送信パラメータの構成情報を受信する前に、第2の要求情報を開始するステップをさらに含み、第2の要求情報は、第3の基地局に、第3の基地局の不連続のデータ送信パラメータの構成情報を送信し、かつ/または第4の基地局に第4の基地局によって使用されることが提案された不連続のデータ送信パラメータの構成情報を送信するように要求するように構成される。
【０１７１】
第6の態様の第1の可能な実装に関連して、第6の態様の第8の可能な実装では、不連続のデータ送信パラメータの構成情報に対して第3の基地局と対話するステップは、第4の基地局の不連続のデータ送信パラメータの構成情報をサードパーティデバイスに送信するステップを含む。
【０１７２】
第6の態様の第8の可能な実装に関連して、第6の態様の第9の可能な実装では、不連続のデータ送信パラメータの構成情報に対して第3の基地局と対話するステップは、サードパーティデバイスに、第4の基地局の不連続のデータ送信パラメータの構成情報を送信する前に、第3の基地局によって開始され、サードパーティデバイスによって転送された第1の要求情報を受信するステップであって、第1の要求情報は、第4の基地局の不連続のデータ送信パラメータの構成情報を送信することを第4の基地局に要求するように少なくとも構成されるステップをさらに含む。
【０１７３】
第6の態様の第8の可能な実装または第6の態様の第9の可能な実装に関連して、第6の態様の第10の可能な実装では、不連続のデータ送信パラメータの構成情報に対して第3の基地局と対話するステップは、サードパーティデバイスから第2のデータを受信するステップをさらに含み、サードパーティデバイスからの第2のデータは、サードパーティデバイスによって転送される第3の基地局の不連続のデータ送信パラメータの構成情報と、第3の基地局が第4の基地局使用を提案し、サードパーティデバイスよって転送される不連続のデータ送信パラメータの構成情報と、サードパーティデバイスが第4の基地局使用を提案する不連続のデータ送信パラメータの構成情報との少なくとも1つを含む。
【０１７４】
第6の態様の第10の可能な実装に関連して、第6の態様の第11の可能な実装では、不連続のデータ送信パラメータの構成情報に対して第3の基地局と対話するステップは、サードパーティデバイスから第2のデータを受信する前に、サードパーティデバイスに第2の要求を送信するステップであって、第2の要求情報は、サードパーティデバイスによって第3の基地局へ転送され、第2の要求情報は、第3の基地局に、第3の基地局の不連続のデータ送信パラメータの構成情報を送信し、かつ/または第4の基地局によって使用されることが提案される不連続のデータ送信パラメータの構成情報を送信することを要求するように構成されるステップをさらに含む。
【０１７５】
第6の態様の第4の可能な実装または第6の態様の第10の可能な実装に関連して、第6の態様の第12の可能な実装では、不連続のデータ送信パラメータの構成情報に対して第3の基地局と対話するステップは、提案される不連続のデータ送信パラメータの構成情報をアクティブ化するステップをさらに含む。
【０１７６】
第6の態様の第10の可能な実装または第6の態様の第11の可能な実装に関連して、第6の態様の第13の可能な実装では、不連続のデータ送信パラメータの構成情報に対して第3の基地局と対話するステップは、第3の基地局によって使用されることが提案される不連続のデータ送信パラメータの構成情報をサードパーティデバイスに送信するため、サードパーティデバイスが、第3の基地局に不連続のデータ送信パラメータの構成情報を転送するステップをさらに含む。
【０１７７】
第6の態様または第6の態様の第1の可能な実装に関連して、第6の態様の第14の可能な実装では、情報対話方法は、以下をさらに含む。
【０１７８】
ユーザ機器UEに第3のデータを送信するステップであって、第3のデータは、第3の基地局および/または第4の基地局の不連続のデータ送信パラメータの構成情報を含むため、UEは、少なくとも第3のデータにより測定および/またはデータ送信を実行するステップ。
【０１７９】
第6の態様の第14の可能な実装に関連して、第6の態様の第15の可能な実装では、ユーザ機器UEに、第3のデータを送信するステップは、ブロードキャストと、RRCの特別のシグナリングと、メディアアクセス制御制御要素MACCEと、物理レイヤコマンドとの少なくとも1つによってUEに第3のデータを送信するステップを含む。
【０１８０】
第6の態様から第6の態様の第15の可能な実装のいずれか1つに関連して、第6の態様の第16の可能な実装では、不連続のデータ送信パラメータの構成情報は、不連続受信DRXパラメータの構成情報および不連続送信DTXパラメータの構成情報の少なくとも1つを含む。
【０１８１】
第6の態様の第16の可能な実装に関連して、第6の態様の第17の可能な実装では、DRXパラメータの構成情報は、セルに対するユーザ機器UEのDRX構成情報または不連続送信DTXパラメータの構成情報に基づくDRX構成情報である。
【０１８２】
第6の態様の第17の可能な実装に関連して、第6の態様の第18の可能な実装では、セルのUEのDRX構成情報は、セルのUEのシグナリング無線ベアラSRBのDRX構成情報、またはセルのUEのデータ無線ベアラDRBのDRX構成情報、または運ばれたデータ配布のDRX構成情報である。
【０１８３】
第6の態様の第16の可能な実装から第18の可能な実装のいずれか1つに関連して、第6の態様の第19の可能な実装では、DRXパラメータの構成情報は、時間領域におけるDRXパラメータの構成情報および周波数領域におけるDRXパラメータの構成情報の少なくとも1つを含む。
【０１８４】
第6の態様の第16の可能な実装から第19の可能な実装のいずれか1つに関連して、第6の態様の第20の可能な実装では、不連続受信は、UEによって実行された不連続受信および基地局によって実行された不連続受信の少なくとも1つを含む。
【０１８５】
第6の態様の第16の可能な実装に関連して、第6の態様の第21の可能な実装では、DTXパラメータは、基地局レベルでのDTXパラメータまたはUEレベルでのDTXパラメータである。
【０１８６】
第6の態様の第16の可能な実装または第6の態様の第21の可能な実装に関連して、第6の態様の第22の可能な実装では、DTXパラメータの構成情報は、時間領域におけるDRXパラメータの構成情報および周波数領域におけるDRXパラメータの構成情報の少なくとも1つを含む。
【０１８７】
第6の態様の第16の可能な実装、第6の態様の第21の可能な実装2、または第6の態様の第22の可能な実装に関連して、第6の態様の第23の可能な実装では、不連続送信は、基地局によって実行された不連続送信およびUEによって実行された不連続送信の少なくとも1つを含む。
【０１８８】
第6の態様の第6の可能な実装に関連して、第6の態様の第24の可能な実装では、第1の要求情報は、方法がハンドオーバプロセスに適用される場合、UEに対するハンドオーバ要求であり、第1の要求情報は、方法がデータ配布チャネルのセットアッププロセスに適用される場合、UEに対するデータ配布要求である。
【０１８９】
本発明の実施形態の第7の態様によると、ユーザ機器UEによって実行される情報対話方法が提供され、情報対話方法は以下を含む。
【０１９０】
第3のデータを受信するステップであって、第3のデータは、第3の基地局および/または第4の基地局の不連続のデータ送信パラメータの構成情報を含むため、UEは、少なくとも第3のデータにより測定および/またはデータ送信を実行するステップ。
【０１９１】
第7の態様の第6の可能な実装に関連して、第7の態様の第1の可能な実装では、情報対話方法は、以下をさらに含む。
【０１９２】
UEによって、第2の命令情報を第3の基地局および/または第4の基地局に報告するステップであって、第2の命令情報は、一様な傾向がある不連続のデータ送信パラメータの構成情報を構成するように要求するように構成されるステップ。
【０１９３】
本発明の実施形態の第8の態様によると、滞留方法が提供され、滞留方法は、指示情報をユーザ機器UEに送信するステップであって、指示情報は、このセルに滞留することができるアイドル状態および/または接続状態のUEと、アイドル状態および/または接続状態のUEが滞留することができる滞留可能なオブジェクトと、アイドル状態および/または接続状態のUEが滞留することができない滞留可能でないオブジェクトと、セルのサイズおよびタイプとの少なくとも1つを示すように構成されるため、UEは指示情報に基づいて滞留するステップを含む。
【０１９４】
第8の態様に関連して、第1の可能な実装では、指示情報は、滞留可能なオブジェクトの優先度情報を運ぶようにさらに構成される。
【０１９５】
第8の態様の第1の可能な実装に関連して、第2の可能な実装では、優先度情報は、滞留可能なオブジェクトのランクによって特徴づけられる。
【０１９６】
第8の態様、第8の態様の第1の可能な実装、または第8の態様の第2の可能な実装に関連して、第3の可能な実装では、滞留可能なオブジェクトは、滞留可能なセルおよび滞留可能な基地局の少なくとも1つを含み、滞留可能でないオブジェクトは、滞留可能でないセルおよび滞留可能でない基地局の少なくとも1つを含む。
【０１９７】
第8の態様に関連して、第4の可能な実装では、滞留可能な基地局は、第1の基地局として機能することができる代替基地局である。
【０１９８】
第8の態様に関連して、第5の可能な実装では、UEに指示情報を送信するステップは、ブロードキャストと、RRCの特別のシグナリングと、メディアアクセス制御制御要素MACCEと、物理レイヤコマンドとの少なくとも1つによってUEに指示情報を送信するステップを含む。
【０１９９】
本発明の実施形態の第9の態様によると、ユーザ機器UEによって実行される滞留方法が提供され、滞留方法は以下を含む。
【０２００】
基地局側によって送信された指示情報を受信するステップであって、指示情報は、アイドル状態および/または接続状態のUEが、このセルに滞留することができるかどうかと、アイドル状態および/または接続状態のUEが滞留することができる滞留可能なオブジェクトと、アイドル状態および/または接続状態のUEが滞留することができない滞留可能でないオブジェクトと、セルのサイズおよびタイプとの少なくとも1つを示すように構成されるステップ。
【０２０１】
指示情報に基づいて滞留するステップ。
【０２０２】
第9の態様に関連して、第1の可能な実装では、指示情報は、滞留可能なオブジェクトの優先度情報を運ぶようにさらに構成される。
【０２０３】
第9の態様の第1の可能な実装に関連して、第2の可能な実装では、優先度情報は、滞留可能なオブジェクトのランクによって特徴づけられる。
【０２０４】
第9の態様に関連して、第3の可能な実装では、滞留可能なオブジェクトは、滞留可能なセルおよび/または滞留可能な基地局を含み、滞留可能でないオブジェクトは、滞留可能でないセルおよび/または滞留可能でない基地局を含む。
【０２０５】
第9の態様の第3の可能な実装に関連して、第4の可能な実装では、滞留可能な基地局は、第1の基地局として機能することができる代替基地局である。
【０２０６】
第9の態様に関連して、第5の可能な実装では、基地局側によって送信された指示情報を受信するステップは、ブロードキャストと、RRCの特別のシグナリングと、メディアアクセス制御制御要素MACCEと、および物理レイヤコマンドとの少なくとも1つによって送信された指示情報を受信するステップを含む。
【０２０７】
本発明の実施形態の第10の態様によると、少なくとも第1のCPUおよび第1の送信機を含む測定装置が提供され、
【０２０８】
第1のCPUは、ユーザ機器UEの測定構成情報を構成するように構成され、測定構成情報は、参照セルに対する測定レポートトリガリング条件を少なくとも含むため、参照セルに対する測定レポートトリガリング条件が満たされている場合、UEは測定結果を報告する。
【０２０９】
第1の送信機は、測定構成情報を送信するように構成される。
【０２１０】
第10の態様に関連して、第1の可能な実装では、参照セルに対する測定レポートトリガリング条件は、第1のトリガリング条件および第2のトリガリング条件の少なくとも1つを含む。
【０２１１】
第1のトリガリング条件は、しきい値だけ参照セルの信号品質より高い近接セルの信号品質を含む。
【０２１２】
第2のトリガリング条件は、第1の絶対しきい値より低い参照セルの信号品質および第2の絶対しきい値より高い近接セルの信号品質を含む。
【０２１３】
第10の態様の第1の可能な実装に関連して、第2の可能な実装では、参照セルは、第1の基地局のセルと、第2の基地局のセルと、UEとのワイヤレス通信を維持する唯一のものであるセルと、UEとのアップリンクワイヤレス通信を維持するセルと、UEとのダウンリンクワイヤレス通信を維持するセルと、参照セルの組の任意のセルと、参照セルの組のすべてのセルと、参照セルの組の第1の事前設定された条件を満たすセルと、指定されたセルとの少なくとも1つを含む。
【０２１４】
第10の態様の第1の可能な実装または第10の態様の第2の可能な実装に関連して、第3の可能な実装では、第1のCPUは、UEとのワイヤレス通信を維持するセルをプライマリセルに構成するようにさらに構成され、プライマリセルは、参照セルとして機能するため、UEは、近接セルの信号品質がしきい値だけプライマリセルの信号品質より高い場合、またはプライマリセルの信号品質が第1の絶対しきい値より低く、近接セルの信号品質が第2の絶対しきい値より高い場合、測定結果を報告する。
【０２１５】
第10の態様に関連して、第4の可能な実装では、参照セルに対する測定レポートトリガリング条件は、第3のトリガリング条件と、第4のトリガリング条件と、第5のトリガリング条件との少なくとも1つを含む。
【０２１６】
第3のトリガリング条件は、第3の絶対しきい値より高い参照セルの信号品質を含む。
【０２１７】
第4のトリガリング条件は、第4の絶対しきい値より低い参照セルの信号品質を含む。
【０２１８】
第5のトリガリング条件は、しきい値だけ参照セルの信号品質より高い近接セルの信号品質を含む。
【０２１９】
第10の態様に関連して、第5の可能な実装では、参照セルに対する測定レポートトリガリング条件は、第6のトリガリング条件を含み、参照セルに対して測定結果を定期的に報告する。
【０２２０】
第10の態様の第2の可能な実装に関連して、第6の可能な実装では、第1の基地局のセルは、第1の基地局のプライマリセルと、UEとのタイミング調整を維持する第1の基地局のセルとの少なくとも1つを含む。
【０２２１】
第10の態様の第2の可能な実装に関連して、第7の可能な実装では、第2の基地局のセルは、第2の基地局のプライマリセルと、UEとのタイミング調整を維持する第2の基地局のセルとの少なくとも1つを含む。
【０２２２】
第10の態様の第1の可能な実装から第7の可能な実装のいずれか1つに関連して、第8の可能な実装では、近接セルは、UEにサービスを提供しないセルと、UEにサービスを提供しない第1の基地局のセルと、UEにサービスを提供しない第2の基地局のセルと、指定されたセルと、指定された基地局のサービスを提供するセルと、UEにサービスを提供しない指定された基地局のセルとの少なくとも1つを含む。
【０２２３】
第10の態様の第8の可能な実装に関連して、第9の可能な実装では、プライマリセルは、第2の事前設定された条件を満たすセルであり、第2の事前設定された条件は、UEによって実行されたワイヤレスリンクモニタにさらされることと、UEにRRCメッセージを送信することと、UEにRRCメッセージ処理の後にパケットを送信することと、RRCメッセージを生成することとの少なくとも1つを含む。
【０２２４】
第10の態様の第2の可能な実装に関連して、第10の可能な実装では、第1の事前設定された条件は、最も高い信号品質、または最も低い信号品質、または上位Nにある信号品質、または下位Mにある信号品質、またはX番目に高い信号品質、またはY番目に低い信号品質を含み、N、M、X、およびYは自然数である。
【０２２５】
第10の態様の第10の可能な実装に関連して、第11の可能な実装では、第1の事前設定された条件を満たすセルは、事前設定された周期性により定期的に選択され、かつ/または選択トリガリング条件が満たされる場合、第1の事前設定された条件を満たすセルが選択される。
【０２２６】
第10の態様の第11の可能な実装に関連して、第12の可能な実装では、周期性は、UEに基づく周期性と、測定レポートトリガリング条件に基づく周期性と、セルに基づく周期性と、セル周波数に基づく周期性との少なくとも1つを含む。
【０２２７】
第10の態様の第10の可能な実装に関連して、第13の可能な実装では、選択トリガリング条件は、しきい値を超える測定結果の変動を少なくとも含む。
【０２２８】
第10の態様の第13の可能な実装に関連して、第14の可能な実装では、変動は、第1の変動および第2の変動の少なくとも1つを含む。
【０２２９】
第10の態様の第14の可能な実装に関連して、第15の可能な実装では、
【０２３０】
第1の変動は、組の特定のセルまたは任意のセルに対する履歴測定結果と比較する現在の測定結果の変動を含む。
【０２３１】
第2の変動は、同じ組の変動の任意の2つのセルの現在の測定結果間の比較値と、同じ組の変動の2つの選択されたセルの現在の測定結果間の比較値と、同じ組の変動の特定のセルおよび別のセルの現在の測定結果間の比較値との少なくとも1つを含む。
【０２３２】
第10の態様、および第10の態様の第1の可能な実装から第15の可能な実装のいずれか1つに関連して、第16の可能な実装では、第1のCPUは、UEの測定結果が報告されるレポートオブジェクトを構成するようにさらに構成されるため、参照セルに対する測定レポートトリガリング条件が満たされる場合、UEは対応するレポートオブジェクトに測定結果を報告する。
【０２３３】
本発明の実施形態の第11の態様によると、少なくとも第1の送受信機および第2のCPUを含む測定装置が提供され、
【０２３４】
第1の送受信機は、基地局側によって構成された測定構成情報を受信し、参照セルに対する測定レポートトリガリング条件が満たされる場合、測定結果を報告するように構成され、測定構成情報は、参照セルに対する測定レポートトリガリング条件を少なくとも含む。
【０２３５】
第2のCPUは、参照セルに対する測定レポートトリガリング条件が満たされているかどうかを決定するように構成される。
【０２３６】
第11の態様に関連して、第1の可能な実装では、参照セルに対する測定レポートトリガリング条件は、第1のトリガリング条件および第2のトリガリング条件の少なくとも1つを含む。
【０２３７】
第1のトリガリング条件は、しきい値だけ参照セルの信号品質より高い近接セルの信号品質を含む。
【０２３８】
第2のトリガリング条件は、第1の絶対しきい値より低い参照セルの信号品質および第2の絶対しきい値より高い近接セルの信号品質を含む。
【０２３９】
第11の態様の第1の可能な実装に関連して、第2の可能な実装では、参照セルは、第1の基地局のセルと、第2の基地局のセルと、UEとのワイヤレス通信を維持する唯一のものであるセルと、UEとのアップリンクワイヤレス通信を維持するセルと、UEとのダウンリンクワイヤレス通信を維持するセルと、参照セルの組の任意のセルと、参照セルの組のすべてのセルと、参照セルの組の第1の事前設定された条件を満たすセルと、指定されたセルとの少なくとも1つを含む。
【０２４０】
第11の態様または第11の態様の第1の可能な実装に関連して、第3の可能な実装では、第2のCPUは、以下のようにさらに構成される。
【０２４１】
近接セルの信号品質がしきい値だけ基地局側によって構成されたプライマリセルの信号品質より高い場合、または基地局側によって構成されたプライマリセルの信号品質が第1の絶対しきい値より低く、近接セルの信号品質が第2の絶対しきい値より高い場合、測定結果を報告するように第1の送受信機に指示する。
【０２４２】
プライマリセルは、参照セルとして機能し、プライマリセルは、UEとのワイヤレス通信を維持するセルである。
【０２４３】
第11の態様に関連して、第4の可能な実装では、参照セルに対する測定レポートトリガリング条件は、第3のトリガリング条件と、第4のトリガリング条件と、第5のトリガリング条件との少なくとも1つを含む。
【０２４４】
第3のトリガリング条件は、第3の絶対しきい値より高い参照セルの信号品質を含む。
【０２４５】
第4のトリガリング条件は、第4の絶対しきい値より低い参照セルの信号品質を含む。
【０２４６】
第5のトリガリング条件は、しきい値だけ参照セルの信号品質より高い近接セルの信号品質を含む。
【０２４７】
第11の態様に関連して、第5の可能な実装では、参照セルに対する測定レポートトリガリング条件は、第6のトリガリング条件を含み、参照セルに対して測定結果を定期的に報告する。
【０２４８】
第11の態様の第2の可能な実装に関連して、第6の可能な実装では、第1の基地局のセルは、第1の基地局のプライマリセルと、UEとのタイミング調整を維持する第1の基地局のセルとの少なくとも1つを含む。
【０２４９】
第11の態様の第2の可能な実装に関連して、第7の可能な実装では、第2の基地局のセルは、第2の基地局のプライマリセルと、UEとのタイミング調整を維持する第2の基地局のセルとの少なくとも1つを含む。
【０２５０】
第11の態様の第1の可能な実装から第7の可能な実装に関連して、第8の可能な実装では、近接セルは、UEにサービスを提供しないセルと、UEにサービスを提供しない第1の基地局のセルと、UEにサービスを提供しない第2の基地局のセルと、指定されたセルと、指定された基地局のサービスを提供するセルと、UEにサービスを提供しない指定された基地局のセルとの少なくとも1つを含む。
【０２５１】
第11の態様の第8の可能な実装に関連して、第9の可能な実装では、プライマリセルは、第2の事前設定された条件を満たすセルであり、第2の事前設定された条件は、UEによって実行されたワイヤレスリンクモニタにさらされることと、UEにRRCメッセージを送信することと、UEにRRCメッセージ処理の後にパケットを送信することと、RRCメッセージを生成することとの少なくとも1つを含む。
【０２５２】
第11の態様の第2の可能な実装に関連して、第10の可能な実装では、第1の事前設定された条件は、最も高い信号品質、または最も低い信号品質、または上位Nにある信号品質、または下位Mにあり信号品質、またはX番目に高い信号品質、またはY番目に低い信号品質を含み、N、M、X、およびYは自然数である。
【０２５３】
第11の態様の第10の可能な実装に関連して、第11の可能な実装では、第1の事前設定された条件を満たすセルは、事前設定された周期性により定期的に選択され、かつ/または選択トリガリング条件が満たされる場合、第1の事前設定された条件を満たすセルが選択される。
【０２５４】
第11の態様の第11の可能な実装に関連して、第12の可能な実装では、周期性は、UEに基づく周期性と、測定レポートトリガリング条件に基づく周期性と、セルに基づく周期性と、セル周波数に基づく周期性との少なくとも1つを含む。
【０２５５】
第11の態様の第12の可能な実装に関連して、第13の可能な実装では、選択トリガリング条件は、しきい値を超える測定結果の変動を少なくとも含む。
【０２５６】
第11の態様の第13の可能な実装に関連して、第14の可能な実装では、変動は、第1の変動および第2の変動の少なくとも1つを含む。
【０２５７】
第11の態様の第14の可能な実装に関連して、第15の可能な実装では、第1の変動は、組の特定のセルまたは任意のセルに対する履歴測定結果と比較する現在の測定結果の変動を含む。
【０２５８】
第2の変動は、同じ組の変動の任意の2つのセルの現在の測定結果間の比較値と、同じ組の変動の2つの選択されたセルの現在の測定結果間の比較値と、同じ組の変動の特定のセルおよび別のセルの現在の測定結果間の比較値との少なくとも1つを含む。
【０２５９】
第11の態様および第11の態様の第1の可能な実装から第15の可能な実装のいずれか1つに関連して第16の可能な実装では、第1の送受信機は、測定結果が報告される、基地局側によって構成される、レポートオブジェクトを受信するようにさらに構成され、測定結果を報告することは、対応するレポートオブジェクトに測定結果を報告することを含む。
【０２６０】
第11の態様の第10の可能な実装に関連して、第17の可能な実装では、プライマリセルは、アップリンクに物理アップリンク制御チャネルを持つセルを含む。
【０２６１】
本発明の実施形態の第12の態様によると、少なくとも第3のCPUおよびストレージを含む測定装置が提供され、第3のCPUは、ストレージに格納されたソフトウェアプログラムを実行し、ストレージに格納されたデータを呼び出すことによって、少なくとも以下のことを実行する。
【０２６２】
ユーザ機器UEの測定結果が報告されるレポートオブジェクトを構成するため、UEは、対応するレポートオブジェクトに測定結果を報告すること。
【０２６３】
本発明の実施形態の第13の態様によると、少なくとも以下を含む測定装置が提供される。
【０２６４】
測定結果が報告される基地局側によって構成されるレポートオブジェクトを受信し、対応するレポートオブジェクトに測定結果を報告するように構成された、第2の送受信機。
【０２６５】
本発明の実施形態の第14の態様によると、少なくとも第3の送受信機を含む情報対話装置が提供され、第3の送受信機は、不連続のデータ送信パラメータの構成情報に対して第4の基地局と対話するように構成されるため、基地局側は、ユーザ機器のスケジューリングおよび移動性管理の少なくとも1つを実行し、基地局側は、第3の基地局および第4の基地局の少なくとも1つを含む。
【０２６６】
第14の態様に関連して、第1の可能な実装では、不連続のデータ送信パラメータの構成情報に対して第4の基地局と対話することは、第4の基地局によって送信された第4の基地局の不連続のデータ送信パラメータの構成情報を受信することを含む。
【０２６７】
第14の態様の第1の可能な実装に関連して、第2の可能な実装では、不連続のデータ送信パラメータの構成情報に対して第4の基地局と対話することは、肯定応答情報を返すことをさらに含む。
【０２６８】
第14の態様の第2の可能な実装に関連して、第3の可能な実装では、不連続のデータ送信パラメータの構成情報に対して第4の基地局と対話することは、第3の基地局の不連続のデータ送信パラメータの構成情報を第4の基地局に送信し、かつ/または第4の基地局によって使用されることが提案される不連続のデータ送信パラメータの構成情報を第4の基地局に送信することをさらに含む。
【０２６９】
第14の態様の第3の可能な実装に関連して、第4の可能な実装では、第3の基地局の不連続のデータ送信パラメータの構成情報および/または第4の基地局によって使用されることが提案される不連続のデータ送信パラメータの構成情報は、肯定応答情報によって運ばれる。
【０２７０】
第14の態様に関連して、第5の可能な実装では、第3の送受信機は、ユーザ機器UEに第3のデータを送信するようにさらに構成され、第3のデータは、第3の基地局および/または第4の基地局の不連続のデータ送信パラメータの構成情報を含むため、UEは、少なくとも第3のデータにより測定および/またはデータ送信を実行する。
【０２７１】
第14の態様の第5の可能な実装に関連して、第6の可能な実装では、第3の送受信機は、ブロードキャストと、RRCの特別のシグナリングと、メディアアクセス制御制御要素MACCEと、物理レイヤコマンドとの少なくとも1つによってUEに第3のデータを送信する。
【０２７２】
第14の態様および第13の態様の第1の可能な実装から第6の可能な実装のいずれか1つに関連して、第7の可能な実装では、不連続のデータ送信パラメータの構成情報は、不連続受信DRXパラメータの構成情報および不連続送信DTXパラメータの構成情報の少なくとも1つを含む。
【０２７３】
第14の態様の第7の可能な実装に関連して、第8の可能な実装では、DRXパラメータの構成情報は、セルに対するユーザ機器UEのDRX構成情報、または不連続送信DTXパラメータの構成情報に基づくDRX構成情報である。
【０２７４】
第14の態様の第8の可能な実装に関連して、第9の可能な実装では、セルのUEのDRX構成情報は、セルのUEのシグナリング無線ベアラSRBのDRX構成情報、またはセルのUEのデータ無線ベアラDRBのDRX構成情報、または運ばれたデータ配布のDRX構成情報である。
【０２７５】
第14の態様の第7の可能な実装から第9の可能な実装のいずれか1つに関連して、第10の可能な実装では、DRXパラメータの構成情報は、時間領域におけるDRXパラメータの構成情報および周波数領域におけるDRXパラメータの構成情報の少なくとも1つを含む。
【０２７６】
第14の態様の第7の可能な実装に関連して、第11の可能な実装では、DTXパラメータの構成情報は、時間領域におけるDRXパラメータの構成情報および周波数領域におけるDRXパラメータの構成情報の少なくとも1つを含む。
【０２７７】
本発明の実施形態の第15の態様によると、少なくとも第4の送受信機を含む情報装置が提供され、第4の送受信機は、以下のように構成される。
【０２７８】
不連続のデータ送信パラメータの構成情報に対して第3の基地局と対話するため、基地局側が、ユーザ機器のスケジューリングおよび移動性管理の少なくとも1つを実行し、基地局側は、第3の基地局および第4の基地局の少なくとも1つを含む。
【０２７９】
第15の態様に関連して、第1の可能な実装では、不連続のデータ送信パラメータの構成情報に対して第3の基地局と対話することは、第4の基地局の不連続のデータ送信パラメータの構成情報を第3の基地局に送信することを含む。
【０２８０】
第15の態様の第1の可能な実装に関連して、第2の可能な実装では、不連続のデータ送信パラメータの構成情報に対して第3の基地局と対話することは、第3の基地局によって返された肯定応答情報を受信することをさらに含む。
【０２８１】
第15の態様の第1の可能な実装または第15の態様の第2の可能な実装に関連して、第3の可能な実装では、不連続のデータ送信パラメータの構成情報に対して第3の基地局と対話することは、第3の基地局の不連続のデータ送信パラメータの構成情報を受信すること、および/または第3の基地局が第4の基地局使用を提案する不連続のデータ送信パラメータの構成情報を受信することをさらに含む。
【０２８２】
第15の態様の第3の可能な実装に関連して、第4の可能な実装では、第3の基地局の不連続のデータ送信パラメータの構成情報および/または第3の基地局が第4の基地局使用を提案する不連続のデータ送信パラメータの構成情報は、肯定応答情報によって運ばれる。
【０２８３】
第15の態様または第15の態様の第1の可能な実装に関連して、第5の可能な実装では、第4の送受信機は、以下のようにさらに構成される。
【０２８４】
ユーザ機器UEに第3のデータを送信し、第3のデータは、第3の基地局および/または第4の基地局の不連続のデータ送信パラメータの構成情報を含むため、UEは、少なくとも第3のデータにより測定および/またはデータ送信を実行する。
【０２８５】
第15の態様の第5の可能な実装に関連して、第6の可能な実装では、第4の送受信機は、ブロードキャストと、RRCの特別のシグナリングと、メディアアクセス制御制御要素MACCEと、物理レイヤコマンドとの少なくとも1つによってUEに第3のデータを送信する。
【０２８６】
第15の態様および第15の態様の第1の可能な実装から第6の可能な実装のいずれか1つに関連して第7の可能な実装では、不連続のデータ送信パラメータの構成情報は、不連続受信DRXパラメータの構成情報および不連続送信DTXパラメータの構成情報の少なくとも1つを含む。
【０２８７】
第15の態様の第7の可能な実装に関連して、第8の可能な実装では、DRXパラメータの構成情報は、セルに対するユーザ機器UEのDRX構成情報、または不連続送信DTXパラメータの構成情報に基づくDRX構成情報である。
【０２８８】
第15の態様の第8の可能な実装に関連して、第9の可能な実装では、セルのUEのDRX構成情報は、セルのUEのシグナリング無線ベアラSRBのDRX構成情報、またはセルのUEのデータ無線ベアラDRBのDRX構成情報、または運ばれたデータ配布のDRX構成情報である。
【０２８９】
第15の態様の第7の可能な実装から第9の可能な実装に関連して、第10の可能な実装では、DRXパラメータの構成情報は、時間領域におけるDRXパラメータの構成情報および周波数領域におけるDRXパラメータの構成情報の少なくとも1つを含む。
【０２９０】
第15の態様の第10の可能な実装に関連して、第11の可能な実装では、DTXパラメータの構成情報は、時間領域におけるDRXパラメータの構成情報および周波数領域におけるDRXパラメータの構成情報の少なくとも1つを含む。
【０２９１】
本発明の実施形態の第16の態様によると、第1の受信機を含む情報対話装置が提供され、第1の受信機は、第3のデータを受信するように構成され、第3のデータは、第3の基地局および/または第4の基地局の不連続のデータ送信パラメータの構成情報を含むため、測定および/またはデータ送信は、少なくとも第3のデータにより実行される。
【０２９２】
本発明の実施形態の第17の態様によると、少なくとも第2の送信機を含む滞留装置が提供され、第2の送信機は、ユーザ機器UEに指示情報を送信するように構成される。
【０２９３】
指示情報は、アイドル状態および/または接続状態のUEが、このセルに滞留することができるかどうかと、アイドル状態および/または接続状態のUEが滞留することができる滞留可能なオブジェクトと、アイドル状態および/または接続状態のUEが滞留することができない滞留可能でないオブジェクトと、セルのサイズおよびタイプとの少なくとも1つを指示するように構成されるため、UEは指示情報に基づいて滞留する。
【０２９４】
第17の態様に関連して、第1の可能な実装では、指示情報は、滞留可能なオブジェクトの優先度情報を運ぶようにさらに構成される。
【０２９５】
第17の態様または第17の態様の第1の可能な実装に関連して、第2の可能な実装では、滞留可能なオブジェクトは、滞留可能なセルおよび滞留可能な基地局の少なくとも1つを含み、滞留可能でないオブジェクトは、滞留可能でないセルおよび滞留可能でない基地局の少なくとも1つを含む。
【０２９６】
第17の態様の第2の可能な実装に関連して、滞留可能な基地局は、第1の基地局として機能することができる代替基地局である。
【０２９７】
本発明の実施形態の第18の態様によると、少なくとも以下を含む滞留装置が提供される。
【０２９８】
基地局側によって送信された指示情報を受信するように構成された第2の受信機であって、指示情報は、アイドル状態および/または接続状態のUEが、このセルに滞留することができるかどうかと、アイドル状態および/または接続状態のUEが滞留することができる滞留可能なオブジェクトと、アイドル状態および/または接続状態のUEが滞留することができない滞留可能でないオブジェクトと、セルのサイズおよびタイプとの少なくとも1つを指示するように構成される受信機。
【０２９９】
指示情報に基づいて滞留するように構成された第4のCPU。
【０３００】
第18の態様に関連して、第1の可能な実装では、指示情報は、滞留可能なオブジェクトの優先度情報を運ぶようにさらに構成される。
【０３０１】
第18の態様または第18の態様の第1の可能な実装に関連して、第2の可能な実装では、滞留可能なオブジェクトは、滞留可能なセルおよび滞留可能な基地局の少なくとも1つを含み、滞留可能でないオブジェクトは、滞留可能でないセルおよび滞留可能でない基地局の少なくとも1つを含む。
【０３０２】
第18の態様の第2の可能な実装に関連して、第3の可能な実装では、滞留可能な基地局は、第1の基地局として機能することができる代替基地局である。
【０３０３】
本発明の実施形態または従来技術により、技術的解決策をより明確に記述するために、実施形態または従来技術の記述で使用される図は、以下のように簡潔に記述される。以下に記述した図は、本発明の一部の実施形態に過ぎないことは明白である。他の図は、創造的な労力がなくても、これらの図により当業者によって取得され得る。
【図面の簡単な説明】
【０３０４】
【図１】本発明の実施形態による測定構成情報を示す概略図である。
【図２ａ】本発明の実施形態による、基地局側とUE側の間の対話を示すフローチャートである。
【図２ｂ】本発明の実施形態による測定装置を示す概略構造図である。
【図２ｃ】本発明の実施形態による測定装置を示す別の概略構造図である。
【図２ｄ】本発明の実施形態による測定装置を示す別の概略構造図である。
【図２ｅ】本発明の実施形態による測定装置を示す別の概略構造図である。
【図３】本発明の実施形態による情報対話方法を示すフローチャートである。
【図４ａ】本発明の実施形態による情報対話方法を示す別のフローチャートである。
【図４ｂ】本発明の実施形態による情報対話方法を示す別のフローチャートである。
【図４ｃ】本発明の実施形態による情報対話方法を示す別のフローチャートである。
【図５】本発明の実施形態による、基地局とUEの間の対話を示す別のフローチャートである。
【図６】本発明の実施形態による一様な傾向を示す概略図である。
【図７】本発明の実施形態による情報対話方法を示す別のフローチャートである。
【図８】本発明の実施形態による情報対話方法を示す別のフローチャートである。
【発明を実施するための形態】
【０３０５】
本発明の実施形態による技術的解決策は、本発明の実施形態の図面に関連して、明確かつ完全に以下のように記述される。記述された実施形態が本発明の実施形態のすべてではなく、ごく一部であることは明白である。創造的な労力なく本発明のこれらの実施形態に基づいて、当業者によって取得される他のすべての実施形態は、本発明の保護の範囲に属する。
【０３０６】
移動体通信技術の発展および3Gネットワーク/LTEの大規模な展開のために、高速で広い帯域幅を用いるサービスは、様々なアプリケーションの経験を人々にもたらす。アプリケーションサービスが徐々に増加すると、ネットワークの容量に対する要件が増加する。ネットワークの容量をさらに改善するために、ネットワークアーキテクチャは、同種ネットワークから異種混合ネットワークへと発展する。マクロ基地局のアクセスポイントの有効範囲には通常、複数のアクセスポイントがある。これらのアクセスポイントは、ピコ基地局(ピコ)、フェムト基地局(フェムト)、低移動性基地局(LoMo:low mobility base station)、ローカルワイヤレスアクセスポイント(AP)、低消費電力放射ノード(LPN:low power emission node)、リモートラジオヘッド(RRH)などの場合がある。UEは、キャリアアグリゲーションの方法で、上記の複数のアクセスポイントとの通信を維持することができる。UE側から、複数のセルは、UEと通信する。UEが最初にアクセスする基地局のセルは、従来の条件ではデフォルトでプライマリセルと考えられる。1つまたは複数のセカンダリセルも、UEがプライマリセルにアクセスした後、UEにサービスを提供するように構成され得る。セルの各々のキャリアは異なり、それはキャリアアグリゲーションとして呼ばれる。
【０３０７】
これらのアクセスポイントは、従来の条件で記述するような光ファイバを通じて1つの基地局に接続される。ネットワークの発展により、複数のアクセスポイントは、1つの基地局に接続されない。すなわち、UEと通信する複数のアクセスポイントは、異なる基地局に属することができる。これらの基地局は、理想的でないバックホールネットワーク(バックホール)を通じて相互に接続される。このようにして、UEは、第1の基地局および第2の基地局という2つのタイプの基地局に接続され得る。
【０３０８】
本発明では、第1の基地局は、また、基地局の第1のタイプ、UEのプライマリ基地局(MeNB)、アンカー基地局、または仮想基地局と呼ばれ得ることに注意するべきである。第1の基地局は、S1-MMEを終了することを担当する場合がある。第1の基地局は、コアネットワークに適応された移動性アンカーとして機能することができる。第1の基地局は、マクロ基地局の場合がある。第2の基地局は、基地局の第1のタイプに属さない基地局である。第2の基地局は、また、基地局の第2のタイプまたはUEのセカンダリ基地局(SeNB)と呼ばれ得る。第2の基地局は、小さい基地局の場合がある(上述のピコ、フェムト、LoMo、AP、LPN、RRHなど。すなわちスモールセル基地局)。第2の基地局は、UEにデータ配布サービスを提供することができる。さらに、第2の基地局は、第1のネットワークノードの場合があり、この場合、第1のネットワークノードが属する基地局は、第1の基地局の場合があり、これは本明細書では制限されない。
【０３０９】
1つのUEは、1つまたは複数のセカンダリ基地局を対応することができる。したがって、本発明の第2の基地局は、基地局の第1のタイプに属さないが、単に単一の第2の基地局を指さない基地局の集合名として理解され得る。第1の基地局および第2の基地局は、UEに分離したベアラサービスを提供することができる。
【０３１０】
UEは、ネットワークの発展とともに第1の基地局および第2の基地局に接続され得るため、複数のアクセスポイントが1つの基地局に接続されるという場合にもともと適用された動作またはプロセスは、ネットワークの発展として最適化されなければならない。
【０３１１】
たとえば、移動性管理、集合セル管理(追加/削除/交換)、ワイヤレス資源管理、および干渉調整に関与する測定メカニズムは、ネットワークの発展とともに最適化されなければならない。本発明では、集合セルは、UEに二重接続サービスを提供するセルおよび/またはUEに分離したベアラサービスを提供するセルを指すことができることに注意されたい。
【０３１２】
移動性管理、集合セル管理(追加/削除/交換)、ワイヤレス資源管理、または干渉調整を効率よく実行するために、新しいセルが追加され得るか、または低い信号品質のセルは、UEが複数のセルと通信するときに、UEおよびセルの信号品質に基づいてリアルタイムに削除され得る。従来技術は、UEが1つのプライマリセルと、複数のセカンダリセルと、複数の近接セルとを持つという事実に基づいて得られる。従来技術では、プライマリセルおよびセカンダリセルの両方は、UEにサービスを提供し、UEのサービスを提供するセルである。UEは、ワイヤレスネットワーク内で移動する。ワイヤレスリンク品質の要件およびUEとワイヤレスネットワークの間のスケジューリングを保証するために、UEは、UEによって測定された各セルのダウンリンク信号の品質を報告するため、ネットワーク側は、移動性管理を実行する。現在、UEが信号品質を報告するために主に2つのトリガリングメカニズムがあり、一方は、測定結果を定期的に測定および報告し、他方は、測定イベントをトリガすることによって測定結果を報告している。定期的なトリガリングと測定イベントに基づくトリガリングの両方は、測定レポートトリガリング条件である。
【０３１３】
本発明において、信号品質は、RRCレイヤから取得された信号品質に制限されていないが、また、下位レイヤから、またはより短い周期性で測定することによって取得された信号品質を含む。
【０３１４】
従来のLTEシステムでの測定結果を報告する簡単なプロセスは、以下のとおりである。
【０３１５】
基地局(eNB)は、UEに測定構成(Measurement Configuration)情報を送信する。図1に示すように、測定構成情報では、各測定は、測定識別(測定ID)によって識別され、各測定(測定ID)は、測定オブジェクト(Measurement Object)およびレポート構成に対応する。各測定オブジェクトは、個々の測定オブジェクト識別(オブジェクトID)を持ち、各レポート構成は、レポート構成識別(レポート構成ID)に対応する。各レポート構成は、レポート標準およびレポート形式を含む。レポート標準は、測定レポートを送信するように端末をトリガすることができる。すなわち、レポート標準は、測定レポートトリガリング条件である。レポート形式は、UEによって報告されたコンテンツを記述する。図1では、LTEキャリア周波数は、LTEキャリア周波数を表し、キャリア周波数のGERANの組は、GSM(登録商標) EDGEワイヤレスアクセスネットワークのキャリア周波数の組を表す。
【０３１６】
UEが上記の測定構成情報を取得した後、測定結果が測定レポートトリガリング条件を満たす場合、UEは、eNBに測定オブジェクトの測定結果を報告する。
【０３１７】
LTEシステムで使用される測定レポートトリガリング条件に対して、6つのトリガイベントA1〜A6(すなわち測定イベント)がある。すなわち、6つのイベントベースの測定レポートトリガリング条件があり、これらは以下のようにイベントA1からイベントA6である。
【０３１８】
イベントA1:サービング(serving)は、絶対しきい値より良好になる(イベントA1:サービスを提供するセルの信号品質は、絶対しきい値より高い)。
【０３１９】
イベントA2:サービング(serving)は、絶対しきい値より悪くなる(イベントA2:サービスを提供するセルの信号品質は、絶対しきい値より低い)。
【０３２０】
イベントA3:隣接は、PCellより良好なオフセットの量になる(イベントA3:隣接セルの信号品質およびオフセット値の合計は、プライマリセルの信号品質より高い)。
【０３２１】
イベントA4:隣接は、絶対しきい値より良好になる(イベントA4:隣接セルの信号品質はしきい値より高い)。
【０３２２】
イベントA5:PCellは、絶対しきい値1より悪くなり、かつ隣接は、別の絶対しきい値2より良好になる(イベントA5:プライマリセルの信号品質は、しきい値1より低く、隣接セルの信号品質は、しきい値2より高い)。
【０３２３】
イベントA6:隣接は、SCellより良好なオフセットの量になる(イベントA6:隣接セルの信号品質およびオフセット値の合計は、セカンダリセルの信号品質より高い)。
【０３２４】
システム間の測定イベントは、偶数B1、さらには偶数B2など、Bxによって識別される。
【０３２５】
測定イベントに基づくトリガリングが、どのように本発明のネットワークの発展で最適化されるかについて、以下に記述する。
【０３２６】
以下の場合が最初に考慮される。
【０３２７】
ケース1:第1の基地局および第2の基地局がUEに対して構成される。UEは、単一の無線周波数能力のみを持ち、UEは、第2の基地局のセルのみとワイヤレス接続を維持する。
【０３２８】
ケース2:第1の基地局のセルの有効範囲および第2の基地局のセルの有効範囲は、相互に重複せず、UEは、第2の基地局のセルからのみ信号を受信することができる。
【０３２９】
ケース3:UEは、2倍の無線周波数能力を持つが、しかし、UEに対するマクロ基地局はないか、または第1の基地局は、UEにワイヤレスリンクサービスを提供しないか、またはUEは、第1の基地局のセルから信号を受信することができない。
【０３３０】
従来の測定イベントA3およびA5のプライマリセルは、システムによってデフォルトで決められたプライマリセルであり、UEは、プライマリセルのワイヤレスリンクから情報を取得する。しかしながら、ケース1からケース3では、UEは、第2の基地局のセルからのみ信号を受信することができる。したがって、基地局側が、UEに対してイベントA3および/またはA5に関係する測定を構成する場合、UEは、対応する測定レポートをトリガすることができない。
【０３３１】
さらに、以下のようにケース4もある。
【０３３２】
ケース4:複数のアクセスポイントが1つの基地局に接続される従来の条件では、UEは、1つのプライマリセル(PCell)のみを持ち、セルは、スイッチング/RRC接続セットアップ/RRC再セットアップのプロセスの間に、UEにNAS移動性情報を提供し、セルは、スイッチング/RRC再セットアップのプロセスの間に安全入力を提供する。プライマリセルのみが、RRCレイヤの情報(NAS移動性情報および安全入力を含む)を提供することができ、プライマリセルは、複数のサービスを提供するセルのMACレイヤおよび物理レイヤを使用することによって、UEに情報を発行する。プライマリセルは、上記の重要な機能を持ち、プライマリセルが属する基地局は、やがて他のサービスを提供するセルの情報を取得することができることを考慮すると、UEは、プライマリセルに対してワイヤレスリンクモニタを実行しなければならないだけであり、プライマリセルに集中する測定メカニズムのシステムによる設計は、移動性などネットワークのパフォーマンスの要件を満たすことができる。
【０３３３】
ネットワークの発展により、UEは、複数の基地局との接続を維持することができ、UEにサービスを提供するこれらの基地局のすべてのセルは、UEにRRCメッセージを提供または送信し、また、それぞれ安全入力を提供することができる。この場合、ネットワークアーキテクチャでは、その機能がキャリアアグリゲーション技術下のプライマリセルに類似する複数のセルは、UEにサービスを提供することができ、任意の基地局は、ネットワーク経路遅延の経験をもって他の基地局のセルの情報を取得することができる。したがって、従来の測定イベントA3およびA5の1つのみのシステムでデフォルトで決められたプライマリセルに基づく様々な比較プロセスを最適化しなければならない。そうでない場合、UEは、どのセルが適切なプライマリセルであるかを識別することができない。さらに、ネットワーク側によってUEに対して実行された移動性管理のパフォーマンスを最適化するために、向上させる測定レポートトリガイベントを設計しなければならない。
【０３３４】
これを考慮して、本発明の実施形態による測定方法および測定装置が提供される。
【０３３５】
上記の測定方法は、基地局(セル)またはUEによって実行される。基地局側(セル)によって実行されたプロセスについて最初に記述される。プロセスは、少なくとも以下を含む。
【０３３６】
UEの測定構成情報を構成し、測定構成情報を送信するステップ。
【０３３７】
測定方法がUEによって実行される場合、対応するプロセスは、以下を含む。
【０３３８】
基地局側によって構成された測定構成情報を受信するステップであって、測定構成情報は、参照セルに対する測定レポートトリガリング条件を少なくとも含むステップ。
【０３３９】
参照セルに対する測定レポートトリガリング条件が満たされる場合、測定結果を報告するステップ。
【０３４０】
上述の測定構成情報は、参照セルに対する測定レポートトリガリング条件を少なくとも含むため、参照セルに対する測定レポートトリガリング条件が満たされている場合、UEは、測定結果を報告する。
【０３４１】
具体的には、測定結果は、その信号品質が上位Rにある近接セルの信号品質と、その信号品質が上位Sにあるサービスを提供するセルの信号品質と、その信号品質が上位Tにある参照セルの信号品質との少なくとも1つを含むことができる。R、S、およびTは自然数であり、R、S、およびTの値は等しいか、または等しくない場合がある。
【０３４２】
測定構成情報は、第1の基地局(または第1の基地局のセル)によって構成され得るか、または第2の基地局(または第2の基地局のセル)によって構成され得ることに注意するべきである。一般的に、測定構成情報は、第1の基地局によって生成される。測定構成情報を生成した後、第1の基地局は、UEに測定構成情報を送信することができる。あるいは、第1の基地局は、第2の基地局に測定構成情報を送信することができ、第2の基地局は、UEに測定構成情報を発行する。したがって、測定構成情報を生成する観点から定義される場合、測定構成情報は、第1の基地局(または第1の基地局のセル)によって構成される。測定構成情報を発行する観点から定義される場合、測定構成情報は、第2の基地局(または第1の基地局のセル)によって構成され得ることがある。特定の場合には、特に、UEが第2の基地局のセルからのみ信号を受信することができる場合には、測定構成情報は、第2の基地局によって生成され、次いで、第2の基地局によって発行され得る。
【０３４３】
図2aは、以下のようにS1からS3を少なくとも含む、基地局側とUE側の間の対話の流れを示している。
【０３４４】
S1では、基地局は、UEの測定構成情報を構成および送信する。
【０３４５】
S2では、UEは、基地局側によって構成された測定構成情報を受信する。
【０３４６】
S3では、参照セルに対する測定レポートトリガリング条件が満たされる場合、UEは測定結果を報告する。
【０３４７】
上記の実施形態では、参照セルおよび参照セルに対する測定レポートトリガリング条件が導入される。上記のケース1からケース4の少なくとも1つが測定イベントに基づくトリガリングの範囲内にあるように、当業者は、参照セルを構成し、かつ/または「参照セルに対する測定レポートトリガリング条件」を構成することができる。したがって、ネットワークの発展とともに発生する最適化要件が満たされる。
【０３４８】
さらに、少なくとも2つの最適化方法がある。第1の最適化方法は、従来の測定レポートトリガリング条件に基づいて、参照セルに対する測定レポートトリガリング条件を追加することである。第2の最適化方法は、参照セルに対する測定レポートトリガリング条件であるように、従来の測定レポートトリガリング条件を修正することである。その記述は以下のとおりである。
【０３４９】
本発明の他の実施形態では、参照セルに対する測定レポートトリガリング条件は、第1のトリガリング条件および第2のトリガリング条件の少なくとも1つを含む。
【０３５０】
第1のトリガリング条件は、しきい値だけ参照セルの信号品質より高い近接セルの信号品質を含む。
【０３５１】
第2のトリガリング条件は、第1の絶対しきい値より低い参照セルの信号品質および第2の絶対しきい値より高い近接セルの信号品質を含む。
【０３５２】
測定イベントに基づいて上記のケース1からケース4の少なくとも1つをトリガリングの範囲内にするために、参照セルは、UEとのワイヤレス通信を維持する唯一のものであるセルを含むことができる。他の場合には、参照セルは、第1の基地局のセルと、第2の基地局のセルと、UEとのアップリンクワイヤレス通信を維持するセルと、UEとのダウンリンクワイヤレス通信を維持するセルと、参照セルの組の任意のセルと、参照セルの組のすべてのセルと、参照セルの組から選択され、第1の事前設定された条件を満たす適切なセルと、指定されたセルとの少なくとも1つを含むことができる。その他の説明は、以下に記述されるであろう。
【０３５３】
ネットワークの発展とともに発生する最適化要件を満たすために、2つの最適化方法があることを上に記述した。第1のトリガリング条件および第2のトリガリング条件に対する2つの最適化方法は、以下のとおりである。
【０３５４】
第1の方法では、従来の測定イベントA3およびA5が保持され、測定イベントD3およびD5が追加される。測定イベントD3は、第1のトリガリング条件であり、測定イベントD5は、第2のトリガリング条件である。このようにして、それは従来の測定レポートトリガリング条件と互換性を持つことができる。すなわち、測定イベントは、A1からA6だけでなく、D3およびD5も含む。基地局は、構成では必要とされるようにUEに対する測定を構成することができる。
【０３５５】
第2の方法では、従来の測定イベントA3およびA5は、第1のトリガリング条件および第2のトリガリング条件としてそれぞれ最適化される。たとえば、従来技術では、測定イベントA3およびA5のPCellは構成され得ず、システムでデフォルトで決められたプライマリセルである。
【０３５６】
実施形態では、測定イベントA3およびA5のPCellは、構成され得る。構成されたプライマリセルは、上記の参照セルとして機能する。このようにして、従来の測定イベントA3およびA5は、第1のトリガリング条件および第2のトリガリング条件としてそれぞれ最適化され得る。
【０３５７】
当業者は、必要に応じて測定イベントA3およびA5でPCellを構成する方法を柔軟に設計することができる。たとえば、上記のケース1からケース4の少なくとも1つを測定イベントに基づいてトリガリングの範囲内にするために、基地局は、プライマリセル(PCell)としてUEとのワイヤレス通信を維持するセルを構成することができる。
【０３５８】
方法がUEによって実行される場合、対応するプロセスは、近接セルの信号品質が、しきい値だけ基地局側によって構成されたプライマリセルの信号品質より高い場合、または基地局側によって構成されたプライマリセルの信号品質が、第1の絶対しきい値より低く、近接セルの信号品質が第2の絶対しきい値より高い場合、測定結果を報告するステップを含む。
【０３５９】
従来の測定イベントA3およびA5のPCellは、参照セルとして修正され得て、参照セルは上記のように定義される。このようにして、従来の測定イベントA3およびA5は、また、第1のトリガリング条件および第2のトリガリング条件としてそれぞれ最適化され得る。
【０３６０】
測定イベントA3およびA5に加えて、測定イベントA1、A2、およびA6に基づくトリガリングは、また、ネットワークの発展とともに最適化され得る。
【０３６１】
測定イベントA1、A2、およびA6の最適化のために、「参照セルに対する測定レポートトリガリング条件」は、第3のトリガリング条件と、第4のトリガリング条件と、第5のトリガリング条件との少なくとも1つを含むことができる。
【０３６２】
第3のトリガリング条件は、第3の絶対しきい値より高い参照セルの信号品質を含む。
【０３６３】
第4のトリガリング条件は、第4の絶対しきい値より低い参照セルの信号品質を含む。
【０３６４】
第5のトリガリング条件は、しきい値だけ参照セルの信号品質より高い近接セルの信号品質を含む。
【０３６５】
上記と同様に、測定イベントA1、A2、およびA6の最適化のために2つの最適化方法がある。
【０３６６】
第1の方法では、従来の測定イベントA1、A2、およびA6が保持され、測定イベントD1、D2、およびD6が追加される。測定イベントD1は、第3のトリガリング条件であり、測定イベントD2は、第4のトリガリング条件であり、測定イベントD6は、第5のトリガリング条件である。このようにして、それは従来技術と互換性を持つことができる。すなわち、測定イベントは、A1からA6だけでなく、D1、D2、およびD6も含む。基地局は、構成に必要とされるようにUEに対する測定を構成することができる。
【０３６７】
第2の方法では、従来の測定イベントA1、A2、およびA6は、第3のトリガリング条件、第4のトリガリング条件、および第5のトリガリング条件としてそれぞれ最適化される。
【０３６８】
たとえば、従来の測定イベントA1およびA2のサービスを提供するセルは、参照セルとして修正され得て、従来の測定イベントA6のセカンダリセル(SCell)は、参照セルとして修正され得る。
【０３６９】
当業者は、ネットワークの発展とともに発生する最適化要件を満たすために、参照セルを構成することができる。たとえば、以下の要件が考慮される。
【０３７０】
異種混合ネットワークの場面では、UEは、複数の基地局のセルとのワイヤレス接続を維持する。セルの間のUEの頻繁な移動によるコアネットワークへのシグナリングの影響を低減するために、マクロ基地局は、一般的に、第1の基地局として構成され、スモールセルを用いる基地局は、一般的に、第2の基地局として構成される。このようにして、UEのセルが変更される場合、UEの第1の基地局は、MMEの視点から変更を送信しない。よって、MMEに対して移動性管理のシグナリングの影響はない。従来の測定イベントにおけるサービスを提供するセルは、すべてのサービスを提供するセルのいずれか1つを指す。よって、すべてのサービスを提供するセルの任意の1つが条件を満たす限り、測定結果レポートはトリガされる。スモールセル基地局のセルの信号品質をさらに取得するために、すなわち、スモールセル基地局のセルの信号品質が必要である場合、参照セルは、スモールセル基地局のセルとして構成され得る。
【０３７１】
様々な要件を考慮して、実施形態では、参照セルは、指定された基地局のサービスを提供するセルと、指定された基地局のセカンダリセルと、指定されたサービスを提供するセルと、指定されたセカンダリセルと、指定された基地局のプライマリセルと、デフォルトのプライマリセルと、第1の基地局および第2の基地局のサービスを提供するセルと、サービスを提供するセルの組の第1の事前設定された条件を満たすサービスを提供するセルと、サービスを提供するセルの組の任意のサービスを提供するセルと、サービスを提供するセルの組のすべてのサービスを提供するセルと、アンカーセルと、セカンダリセルの組のすべてのセカンダリセルと、セカンダリセルの組の任意のセカンダリセルと、セカンダリセルの組の第1の事前設定された条件を満たすセルとの少なくとも1つを含むことができる。
【０３７２】
参照セルを柔軟に構成することによって、ネットワーク側は、やがて第1の基地局または第2の基地局のセルに対する測定結果を取得することができる。UEの信号品質および第1の基地局のセルが、事前に定めた条件を満たす場合、第2の基地局に対する測定結果は、エアインターフェース資源を使用することによって改良され、やがて測定結果が取得され、それによって、UEに対するスケジューリングおよび移動性管理を実行する。
【０３７３】
複数の参照セルがある場合があることに注意されたい。たとえば、参照セルがサービスを提供するセルの組にすべてのサービスを提供するセル含む場合、複数の参照セルがある。第5のトリガリング条件「しきい値だけ参照セルの信号品質より高い近接セルの信号品質」は、次のように理解され得る。しきい値だけ参照セルのいずれか1つの信号品質より高い近接セルの信号品質。第4のトリガリング条件「第4の絶対しきい値より低い参照セルの信号品質」は、次のように理解され得る。第4の絶対しきい値より低い参照セルのいずれか1つの信号品質。第3のトリガリング条件「第3の絶対しきい値より高い参照セルの信号品質」は、次のように理解され得る。第3の絶対しきい値より高い参照セルのいずれか1つの信号品質。
【０３７４】
従来の測定イベントA1、A2、A3、A5、およびA6に対する最適化について上に記述した。測定イベントA4に対する最適化は、以下のとおりの場合がある。
【０３７５】
第1の最適化方法では、従来の測定イベントA4が保持され、測定イベントD4が追加される。測定イベントD4は、「しきい値より高い参照セルの信号品質」である。ここでは、参照セルは、UEにサービスを提供しないセルと、UEにサービスを提供しない第1の基地局のセルと、UEにサービスを提供しない第2の基地局のセルと、指定されたセルと、指定された基地局のサービスを提供するセルと、UEにサービスを提供しない指定された基地局のセルとの少なくとも1つを含むことができる。このようにして、それは従来の測定レポートトリガリング条件と互換性を持つことができる。
【０３７６】
上述の他の測定イベントを考慮して、第1の最適化方法では、測定イベントA1からA6が保持され、測定イベントD1からD6が追加される。実際には、基地局は、異なる状況によりUEに対してA1からA6およびD1からD6の適切な測定イベントを選択することができる。
【０３７７】
第2の最適化方法では、測定イベントA4の近接セルは、UEにサービスを提供しないセルと、UEにサービスを提供しない第1の基地局のセルと、UEにサービスを提供しない第2の基地局のセルと、指定されたセルと、指定された基地局のサービスを提供するセルと、UEにサービスを提供しない指定された基地局のセルとの少なくとも1つを含むように修正される。
【０３７８】
近接セルは、測定イベントA4に関係するだけではない。本発明の他の実施形態では、すべての上記の実施形態に含まれる近接セルは、UEにサービスを提供しないセルと、UEにサービスを提供しない第1の基地局のセルと、UEにサービスを提供しない第2の基地局のセルと、指定されたセルと、指定された基地局のサービスを提供するセルと、UEにサービスを提供しない指定された基地局のセルとの少なくとも1つを含むことができる。
【０３７９】
上記の記述は、測定イベントのトリガリングに基づく測定結果レポートに関係する。実際には、本発明の概念は、また、測定結果を定期的に測定および報告するメカニズムに適用される。
【０３８０】
したがって、本発明の他の実施形態では、「参照セルに対する測定レポートトリガリング条件」は、第6のトリガリング条件を含むことができる。第6のトリガリング条件は、参照セルに対して測定結果を定期的に報告することを含む。
【０３８１】
第6のトリガリング条件の「参照セル」は、第1の基地局のセルと、第2の基地局のセルと、UEとのワイヤレス通信を維持する唯一のものであるセルと、UEとのアップリンクワイヤレス通信を維持するセルと、UEとのダウンリンクワイヤレス通信を維持するセルと、指定されたセルと、参照セルの組の任意のセルと、参照セルの組のすべてのセルと、参照セルの組の第1の事前設定された条件を満たすセルと、指定された基地局のサービスを提供するセルと、指定された基地局のセカンダリセルと、指定されたサービスを提供するセルと、指定されたセカンダリセルと、指定された基地局のプライマリセルと、デフォルトのプライマリセルと、第1の基地局および第2の基地局のサービスを提供するセルと、サービスを提供するセルの組の第1の事前設定された条件を満たすセルと、サービスを提供するセルの組の任意のサービスを提供するセルと、サービスを提供するセルの組のすべてのサービスを提供するセルと、アンカーセルと、セカンダリセルの組のすべてのセカンダリセルと、セカンダリセルの組の任意のセカンダリセルと、セカンダリセルの組の第1の事前設定された条件を満たすセルとの少なくとも1つを含むことができる。
【０３８２】
より具体的には、すべての上記の実施形態で言及した「第1の基地局のセル」は、第1の基地局のプライマリセルと、UEとのタイミング調整を維持する第1の基地局のセルとの少なくとも1つを含むことができる。
【０３８３】
すべての上記の実施形態で言及した「第2の局のセル」は、第2の基地局のプライマリセルと、UEとのタイミング調整を維持する第2の基地局のセルとの少なくとも1つを含むことができる。
【０３８４】
すべての上記の実施形態で言及した「UEとのワイヤレス通信を維持するセル」は、UEとのワイヤレスリンクを持つセルの場合がある。
【０３８５】
すべての上記の実施形態で言及した「指定された基地局」は、第1の基地局および/または第2の基地局を含むことができる。
【０３８６】
すべての上記の実施形態で言及した「指定されたセカンダリセル」は、第2の基地局のプライマリセルを含むことができる。
【０３８７】
すべての上記の実施形態で言及したアンカー基地局は、UEにアンカー基地局の機能を提供するセルを指すことができる。
【０３８８】
すべての上記の実施形態で言及したサービスを提供するセルは、UEに対するワイヤレスリンクを提供するセルを指すことができる。
【０３８９】
「参照セルの組」は、すべての基地局のプライマリセルと、指定された基地局のプライマリセルと、UEにワイヤレスリンクを提供するすべてのプライマリセルとの少なくとも1つを含むことができる。「少なくとも1つの」は、3種類のプライマリセルのいずれか1つを指すことができる。すなわち、すべての基地局のプライマリセル、指定された基地局のプライマリセル、およびUEにワイヤレスリンクを提供するすべてのプライマリセル、または3種類のプライマリセルの任意の2つの合併もしくは共通部分、または3種類のプライマリセルの合併もしくは共通部分である。たとえば、「参照セルの組」は、すべての基地局のプライマリセルおよびUEにワイヤレスリンクを提供するすべてのプライマリセルを含むことができ、また、UEにワイヤレスリンクを提供する、すべての基地局のプライマリセルを含む。さらに、「指定された基地局のプライマリセル」は、UEに対する第1の基地局のプライマリセル(すなわち、指定された基地局は第1の基地局である)、またはUEに割り当てられた第2の基地局のプライマリセル(すなわち、指定された基地局は第2の基地局である)を含むことができる。
【０３９０】
「近接セルの組」は、すべての近接セルからなる組を指す。すなわち、近接セルの組は、すべての近接セルを含む。同様に、「セカンダリセルの組」は、すべてのセカンダリセルからなる組を指す。すなわち、セカンダリセルの組は、すべてのセカンダリセルを含む。同様に、「サービスを提供するセルの組」は、すべてのサービスを提供するセルからなる組を指す。すなわち、サービスを提供するセルの組は、すべてのサービスを提供するセルを含む。
【０３９１】
さらに、プライマリセルは、第2の事前設定された条件を満たすセルである。第2の事前設定された条件は、UEによって実行されたワイヤレスリンクモニタにさらされることと、UEにRRCメッセージを送信することと、UEにRRCメッセージ処理の後にパケットを送信することと、RRCメッセージを生成することとの少なくとも1つを含むことができる。
【０３９２】
さらに、プライマリセルは、アップリンクにPUCCH(物理アップリンク制御チャネル)を持つセルを含むことができる。
【０３９３】
参照セルおよび近接セルは、周波数内セルまたは周波数間セルの場合があるか、または参照セルおよび近接セルは、周波数内セルであるが、異なる時間領域および/または異なる周波数帯で動作することに注意するべきである。
【０３９４】
参照セルの組および近接セルの組の観点から、参照セルの組から選択された参照セルおよび近接セルの組の近接セルは、周波数内セルもしくは周波数間セルであるか、または周波数内セルであるが、異なる時間領域および/もしくは異なる周波数帯で動作する。同様に、任意の組から選択されたセルおよび別の組のセルは、周波数内セルもしくは周波数間セルであるか、または周波数内セルであるが、異なる時間領域および/または異なる周波数帯で動作する。
【０３９５】
組の内部の観点から、任意のセルおよび同じ組の別のセルは、周波数内セルまたは周波数間セルである。参照セルの組は、実例として取り上げられるものであり、参照セルの組の任意のセルおよび参照セルの組の別のセルは、周波数内セルまたは周波数間セルである。同様に、サービスを提供するセルの組の任意のセルおよびサービスを提供するセルの組の別のセルは、周波数内セルまたは周波数間セルである。セカンダリセルの組の任意のセルおよびセカンダリセルの組の別のセルは、周波数内セルまたは周波数間セルである。
【０３９６】
組の内部および外部の観点から、参照セルの組のセルの一部および近接セルの組のセルの一部は、周波数内セルであり、参照セルの組のセルの一部および近接セルの組のセルの別の部分は、周波数間セルであることを理解されるであろう。同様に、任意の組のセルの一部および別の組のセルの一部は、周波数内セルであり、任意の組のセルの一部および別の組のセルの別の部分は、周波数間セルである。
【０３９７】
周波数内は、動作中のキャリア帯域の中心周波数点が同じであることを指すことができる。周波数間は、動作中のキャリア帯域の中心周波数点が異なることを指すことができる。異なる時間領域での動作は、異なるサブフレームでダウンリンク信号を受信することを指すことができる。異なる周波数帯で動作する周波数内は、動作中のキャリア帯域の中心周波数点は同じであるが、周波数帯は異なることを指すことができる。
【０３９８】
さらに、上記の組の第1の事前設定された条件を満たすセルは、事前設定された周期性により定期的に選択され(すなわち、事前設定された時間間隔ごとに選択され)、かつ/または選択トリガリング条件が満たされると選択される。「第1の事前設定された条件」は、最も高い信号品質、または最も低い信号品質、または上位Nにある信号品質、または下位Mにある信号品質、またはX番目に高い信号品質、またはY番目に低い信号品質を含むことができ、N、M、X、およびYは自然数である。
【０３９９】
より具体的には、「選択トリガリング条件」は、しきい値を超える測定結果の変動を少なくとも含むことができる。
【０４００】
変動は、第1の変動および第2の変動の少なくとも1つを含むことができる。
【０４０１】
第1の変動は、組の特定のセルまたは任意のセルに対する履歴測定結果と比較する現在の測定結果の変動を含むことができる。
【０４０２】
第2の変動は、同じ組の変動の任意の2つのセルの現在の測定結果間の比較値と、同じ組の変動の2つの選択されたセルの現在の測定結果間の比較値と、同じ組の変動の特定のセルおよび別のセルの現在の測定結果間の比較値との少なくとも1つを含むことができる。
【０４０３】
第1の変動および第2の変動の組は、参照セルの組、サービスを提供するセルの組、またはセカンダリセルの組を指す。特定のセルは、最後に選択された第1の事前設定された条件を満たすセルの場合がある。「2つの選択されたセル」は、その信号品質が第1の(P番目)高いセルおよびその信号品質が第2の(P+1番目)高いセル、またはその信号品質が第1の((Q+1)番目)低いセルおよびその信号品質が第2の(Q番目)低いセルの場合がある。PおよびQは自然数である。
【０４０４】
選択のための事前に定めた時間間隔は、上記の周期性に依存する。周期性は、基地局によってUEに送信され得るか、またはUEにローカルに格納され得る。すなわち、周期性は、UEが製造されたときに設定される。
【０４０５】
粒度により、周期性は、UEに基づく周期性(すなわち、各UEは、専用の周期性を持つことができる)と、測定レポートトリガリング条件に基づく周期性(すなわち、各測定レポートトリガリング条件は、専用の周期性を持つことができる)と、セルに基づく周期性(すなわち、各セルは、専用の周期性を持つことができる)と、セル周波数に基づく周期性(すなわち、各セル周波数は、専用の周期性を持つことができる)との少なくとも1つを含むことができる。
【０４０６】
「少なくとも1つの」は、4種類の周期性のいずれか1つを指すことができる。すなわち、UEに基づく周期性、測定レポートトリガリング条件に基づく周期性、セルに基づく周期性、およびセル周波数に基づく周期性、または4種類の周期性の任意の2つの合併または共通部分、または4種類の周期性の任意の3つの合併または共通部分、または4種類の周期性の合併または共通部分である。たとえば、周期性は、UEと測定レポートトリガリング条件の両方に基づく周期性の場合がある。
【０４０７】
信号品質について以下に記述する。本発明の実施形態では、上に記述したすべての実施形態の任意の組の任意のセルの信号品質は、参照信号の信号品質に少なくとも基づいて取得され得る。さらに、任意の組の任意のセルの信号品質は、また、オフセット値に基づいて取得され得る。オフセット値は、ヒステリシス値と、参照信号の周波数オフセット値と、参照信号が属するセルのオフセット値と、参照信号の異なる種類の間での比較によって引き起こされたオフセット値との少なくとも1つを含むことができる。
【０４０８】
上記の参照信号は、セル固有の参照信号(CRS:Cell-specific Reference Signal)と、復調用参照信号(DMRS:Demodulation Reference Signal)と、検出参照信号(DRS:Discovery Reference Signal)と、追跡参照信号(TRS:Tracking Reference Signal)と、密度が低減されたチャネル状態情報(CRS:density-reduced channel status information)と、チャネル状態情報参照信号(CSI-RS:Channel Status Information Reference Signal)と、サウンディング参照信号(SRS:Sounding Reference Signal)との少なくとも1つを含むことができ、これは本明細書では制限されない。
【０４０９】
本発明の実施形態で言及したセルの信号品質は、また、セルのリモートラジオヘッドの信号品質またはセルの1つまたは複数のワイヤレスポートの信号品質など、セルのワイヤレスリンクの信号品質を指すことができる。本発明の実施形態で言及したセルの信号品質は、上に記述した参照信号の信号品質を指すことができる。
【０４１０】
上記の測定イベントD1からD6では、測定イベントD1、D2、D4、およびD5は、セルの信号品質としきい値の間の比較に関係し、測定イベントD3およびD6は、2つのセルの間の信号品質の比較に関係する。
【０４１１】
信号品質が参照信号の信号品質である可能性がある場合、本発明の測定イベントD1、D2、D4、およびD5で言及したしきい値より高いまたは低いセルの信号品質は、セルの参照信号の信号品質が、時間区分内の任意のサンプリング時間点で、または時間区分内の複数のサンプリング時間点で、または時間区分内のすべてのサンプリング時間点で、しきい値より高いまたは低いことを指すことができる。
【０４１２】
本発明の測定イベントD3およびD6で言及したセルBの信号品質より高いまたは低いセルAの信号品質は、セルAの第1の参照信号の信号品質が、セルBの第2の参照信号の信号品質より高い(または低い)ことを指すことができる(第1および第2は、参照信号を区別するためのみである)。
【０４１３】
さらに、参照信号の信号品質をしきい値と比較する比較式および参照信号の信号品質を別の参照信号の信号品質と比較する比較式は、オフセット値を含むことができる。比較式は、LTE測定条件で一般的に使用される参加条件(entering condition)および退去条件(leaving condition)を含む。
【０４１４】
実例は以下のとおりである。
【０４１５】
信号のしきい値より高い参照信号の信号品質の条件は、以下を含む。
【０４１６】
参加条件は、Mcp-Hys>Threshである。
【０４１７】
退去条件は、Mcp+Hys<Threshである。
【０４１８】
Mcpは、参照信号の信号品質を表し、Hysは、ヒステリシスパラメータを表し、Threshは、ネットワーク側によって構成されたしきい値を表す。
【０４１９】
ヒステリシスパラメータHysは、オフセット値の1つに過ぎないことに注意されたい。
【０４２０】
たとえば、参照信号の信号品質をより正確にするために、オプションのより多くのパラメータがオフセット値に導入され得る。
【０４２１】
参加条件は、Mcp+Opcp-Hys>Threshである。
【０４２２】
退去条件は、Mcp+Opcp+Hys<Threshである。
【０４２３】
Mcpは、参照信号の信号品質を表し、Hysは、ヒステリシスパラメータを表し、Threshは、ネットワーク側によって構成されたしきい値を表し、Opcpは、送信電力と、サブフレーム資源と、周波数優先度と、セル優先度と、CSI-RS資源優先度の1つまたは複数に関係するパラメータなど、参照信号の信号に関係するパラメータを表す。
【０４２４】
第2の参照信号の信号品質より高い第1の参照信号の信号品質の条件は、以下を含む。
【０４２５】
参加条件は、Mn+Ofn+Ocn-Hys>Mp+Ofp+Ocp+Offである。
【０４２６】
退去条件は、Mn+Ofn+Ocn+Hys<Mp+Ofp+Ocp+Offである。
【０４２７】
Mnは、第1の参照信号の信号品質を表し、Hysは、ヒステリシスパラメータを表し、Offは、ネットワーク側によって構成されたオフセット値を表し、Ofnは、第1の参照信号の周波数に関係するパラメータを表し、Ocnは、第1の参照信号に対応するセルおよび/またはポートに関係するパラメータを表す。それに対応して、Mpは、第2の参照信号の信号品質を表し、Ofpは、第2の参照信号の周波数に関係するパラメータを表し、Ocpは、第2の参照信号に対応するセルおよび/またはポートに関係するパラメータを表す。第1の参照信号および第2の参照信号が同じキャリア周波数に属する場合、キャリア周波数に関係するパラメータは、不等式で提示されない場合がある。通信ノードは、これらのパラメータを設計することによって測定レポートに対する事前設定された条件をより柔軟に決定することができる。
【０４２８】
パラメータOpcpは、第1の参照信号に対応する不等式の一方に導入され得る。パラメータは、第1の参照信号に関係する。たとえば、パラメータは、送信電力と、サブフレーム資源と、周波数優先度と、セル優先度と、CSI-RS資源優先度との1つまたは複数の要素に関係する。
【０４２９】
本発明に記述した式の様々な変形も、本発明の範囲内にある。これらは本明細書に記述されていない。
【０４３０】
参照信号の異なる種類の信号品質が比較される場合、参照信号の異なる種類のオフセット値は、参加条件および退去条件の式に導入され得て、これは、本発明で言及した複数の事前設定された条件を考慮して、本明細書に詳細に記述されていない。
【０４３１】
上記の測定方法に対応して、本発明の実施形態による測定装置が提供される。
【０４３２】
測定装置が基地局である場合、測定装置は、図2bを参照して、第1のCPU1および第1の送信機2を少なくとも含む。第1のCPU1は、UEの測定構成情報を構成するように少なくとも構成される。第1の送信機2は、測定構成情報を送信するように少なくとも構成される。
【０４３３】
測定装置がUEである場合、測定装置は、図を2c参照して、第1の送受信機3および第2のCPU4を少なくとも含む。
【０４３４】
第1の送受信機3は、基地局側によって構成された測定構成情報を受信し、参照セルに対する測定レポートトリガリング条件が満たされる場合に、測定結果を報告するように少なくとも構成される。
【０４３５】
第2のCPU4は、参照セルに対する測定レポートトリガリング条件が満たされているかどうかを決定するように少なくとも構成される。
【０４３６】
測定レポートトリガリング条件のコンテンツおよび最適化方法については、測定方法の上記の記述を参照することができ、これは本明細書に詳細には記述されていない。
【０４３７】
本発明の他の実施形態では、上に記述した第1のトリガリング条件および第2のトリガリング条件として、従来の測定イベントA3およびA5をそれぞれ最適化するために、基地局の第1のCPU1は、UEとのワイヤレス通信を維持するセルをプライマリセルに構成するようにさらに構成され得て、構成されたプライマリセルは、参照セルとして機能する。このようにして、従来の測定イベントA3およびA5は、第1のトリガリング条件および第2のトリガリング条件としてそれぞれ最適化され得る。さらに、第1のCPU1は、UEに通知するために、構成されたプライマリセルを送信するように第1の送信機2に指示することができる。
【０４３８】
UEの第2のCPU4は、近接セルの信号品質がしきい値だけ基地局側によって構成されたプライマリセルの信号品質より高い場合(プライマリセルは、上に記述した参照セルとして機能する)、または基地局側によって構成されたプライマリセルの信号品質が、第1の絶対しきい値より低く、近接セルの信号品質が第2の絶対しきい値より高い場合、測定結果を報告するように第1の送受信機3に指示するようにさらに構成される。
【０４３９】
また、任意の組で第1の事前設定された条件を満たすセルは、事前設定された周期性により定期的に選択され、かつ/または選択トリガリング条件が満たされると選択されることが上に言及されている。実施形態では、定期的な選択と選択トリガリング条件が満たされたときの選択の両方が、UEの第2のCPUによって実行される。
【０４４０】
従来の測定技術では、UEは、測定トリガリング条件が満たされた後、ネットワーク側に測定結果(セルの信号品質)を報告する。UEが2種類の基地局(第1の基地局および第2の基地局)と同時に通信することができる技術の導入として、報告の有効性を保証するために、第2の基地局に対する測定結果は、第2の基地局に通知されることが必要とされるが、しかし、第2の基地局は、第1の基地局に対する測定結果を必要としない場合がある。UEが基地局に不必要な測定結果を報告する場合、基地局は、UEに対して移動性管理を実行することができない。したがって、実施形態では、基地局側は、測定結果の報告を構成することができ、基地局側によって実行された測定方法は、以下を含む。
【０４４１】
UEの測定結果が報告されるレポートオブジェクトを構成するため、参照セルに対する測定レポートトリガリング条件が満たされる場合、UEは対応するレポートオブジェクトに測定結果を報告するステップ。
【０４４２】
UE側によって実行される測定方法は、以下を含むことができる。
【０４４３】
測定結果が報告されるレポートオブジェクトを受信するステップであって、レポートオブジェクトは、基地局側によって構成されるステップ。
【０４４４】
対応するレポートオブジェクトに測定結果を報告するステップ。
【０４４５】
このようにして、基地局側は、レポートオブジェクトを適切に構成し、これにより、基地局に不必要な測定結果を報告する問題を少なくとも解決し、それによって報告の有効性を保証する。
【０４４６】
UEの測定結果が報告されるレポートオブジェクトは、参照セルに対する測定レポートトリガリング条件に対してのみ構成され得るが、しかし、また、従来の測定イベントに対しても構成され得るため、UEは、従来の測定レポートトリガリング条件が満たされる場合、対応するレポートオブジェクトに測定結果を報告する。
【０４４７】
レポートオブジェクトは、第1の基地局または第2の基地局によって構成され得ることに注意するべきである。一般的に、レポートオブジェクトの構成情報は、第1の基地局によって生成される。レポートオブジェクトの構成情報を生成した後、第1の基地局は、UEにレポートオブジェクトの構成情報を送信することができる。あるいは、第1の基地局は、第2の基地局にレポートオブジェクトの構成情報を送信することができ、第2の基地局は、UEにレポートオブジェクトの構成情報を発行する。特に、UEが第2の基地局のセルからのみ信号を受信することができる場合には、第1の基地局は、第2の基地局にレポートオブジェクトの構成情報を送信し、第2の基地局は、レポートオブジェクトの構成情報を発行する。したがって、レポートオブジェクトの構成情報を生成する観点から定義される場合、レポートオブジェクトは、第1の基地局によって構成され、レポートオブジェクトの構成情報を発行する観点から定義される場合、レポートオブジェクトは、第2の基地局によって構成され得る場合がある。特定の場合には、特に、UEが第2の基地局のセルからのみ信号を受信することができる場合には、測定構成情報は、第2の基地局によって生成され、次いで、第2の基地局によって発行され得る。
【０４４８】
装置の視点から、基地局に対応する測定装置は、図2dを参照して、第3のCPU5およびストレージ6を少なくとも含むことができる。第3のCPU5は、ストレージ6に格納されたソフトウェアプログラム61を実行し、ストレージ6に格納されたデータを呼び出すことによって、以下のステップを少なくとも実行する。
【０４４９】
UEの測定結果が報告されるレポートオブジェクトを構成するため、UEは、対応するレポートオブジェクトに測定結果を報告するステップ。
【０４５０】
第3のCPU5および第1のCPU1は、同じハードウェアデバイスの場合がある。すなわち、第1のCPU1は、UEの測定結果が報告されるレポートオブジェクトを構成するようにさらに構成され得る。第3のCPU5および第1のCPU1は、また、相互に独立した2つのハードウェアデバイスの場合がある。
【０４５１】
さらに、第3のCPU5は、UEに構成されたレポートオブジェクトを送信するように第1の送信機2に指示することができる。
【０４５２】
図2eを参照すると、UEに対応する測定装置は、第2の送受信機7を少なくとも含むことができ、測定結果が報告されるレポートオブジェクトを受信し、レポートオブジェクトは基地局側によって構成され、対応するレポートオブジェクトに測定結果を報告するように構成される。
【０４５３】
第2の送受信機7および第1の送受信機3は、同じハードウェアデバイスの場合がある。すなわち、第1の送受信機は、測定結果が報告されるレポートオブジェクトを受信し、レポートオブジェクトは、基地局側によって構成され、対応するレポートオブジェクトに測定結果を報告するようにさらに構成され得る。あるいは、第2の送受信機7および第1の送受信機3は、相互に独立した2つのハードウェアデバイスの場合がある。
【０４５４】
本発明の他の実施形態では、すべての上記の実施形態のレポートオブジェクトは、指定された基地局または指定されたセルの場合がある。このようにして、eNBは、UEの測定結果が報告されるレポートオブジェクトを構成するため、UEは、指定された基地局または基地局のセルに測定結果を報告する。
【０４５５】
一実装では、「UEの測定結果が報告されるレポートオブジェクトを構成する」ことは、測定識別にレポートオブジェクトをマッピングするため、UEが、測定識別にマッピングされたレポートオブジェクトに測定結果を報告するステップを含むことができる。
【０４５６】
別の実施形態では、「UEの測定結果が報告されるレポートオブジェクトを構成する」ことは、指定された測定レポートトリガリング条件にレポートオブジェクトをマッピングするため、UEが、指定された測定レポートトリガリング条件にマッピングされたレポートオブジェクトに測定結果を報告するステップを含むことができる。
【０４５７】
上記のように、1つの測定識別は、1つの測定オブジェクトおよび1つの測定イベントに対応する。したがって、より具体的には、レポートオブジェクトは、指定された測定オブジェクトにマッピングされ得る。
【０４５８】
従来技術では、UEは複数のセルで動作するが、複数のセルはすべて同じDRX構成を使用する。UEが複数の基地局と同時に通信する技術の導入により、基地局は、測定を実行するためにUEを構成する際に、UEと通信する他の基地局のDTX(不連続送信)構成情報を知る必要がある場合がある。そうでない場合、他方の基地局が情報を送信しないときに、UEが他方の基地局を測定するように構成されている場合、正確な測定結果を取得することができない。
【０４５９】
さらに、異なる基地局は、UEに異なるサービスを提供することができる。たとえば、ある基地局はデータサービスを提供し、他の基地局は電話サービスを提供する。したがって、UEは、セルによって提供される異なるサービスにより、異なる基地局セルに対して異なるDRX(不連続受信)構成情報を使用することができる。
【０４６０】
DRXパラメータおよびDTXパラメータは、まとめて不連続のデータ送信パラメータと呼ばれ得る。従来技術では、不連続のデータ送信パラメータの構成情報に対する対話は、基地局間で実行されない。UEが複数の基地局と同時に通信する技術の導入により、基地局は、不連続のデータ送信パラメータの構成情報に対する対話が基地局間で実行されない場合、UEを効率よくスケジューリングすることができないか、または他のセルを測定するようにUEに指示することができないため、それによってUEの移動性に影響する。
【０４６１】
上記を鑑みて、本発明の実施形態による情報対話方法および情報対話装置が提供される。対話方法は、基地局のインターフェースを通じて、ハンドオーバプロセス、データ配布チャネルのセットアッププロセス、基地局インターフェースのセットアッププロセス、基地局構成の更新プロセス、またはUE構成情報の更新プロセスに適用され得る。
【０４６２】
上記の対話方法は、第3の基地局、第4の基地局、またはUEによって実行され得る。第3の基地局および第4の基地局は、識別のためだけのものであり、特別目的を持たないことに注意するべきである。
【０４６３】
対話方法が第3の基地局によって実行される場合、対話方法は、不連続のデータ送信パラメータの構成情報に対して第4の基地局と対話するため、基地局側が、ユーザ機器のスケジューリングおよび/または移動性管理を実行するステップを含む。基地局側は、第3の基地局および/または第4の基地局を含む。
【０４６４】
それに対応して、対話方法が第4の基地局によって実行される場合、対話方法は、不連続のデータ送信パラメータの構成情報に対して第3の基地局と対話するステップを含む。
【０４６５】
本発明の他の実施形態では、対話方法が第3の基地局によって実行される場合、「不連続のデータ送信パラメータの構成情報に対して第4の基地局と対話する」ことは、図3を参照して、以下のS30からS34を含むことができる。
【０４６６】
S31で、第4の基地局の不連続のデータ送信パラメータの構成情報(第4の基地局によって送信される)は受信される。
【０４６７】
それに対応して、対話方法が第4の基地局によって実行される場合、「不連続のデータ送信パラメータの構成情報に対して第3の基地局と対話する」ことは、第3の基地局に第4の基地局の不連続のデータ送信パラメータの構成情報を送信するステップを含む。すなわち、第4の基地局は、第3の基地局に、第4の基地局自体の不連続のデータ送信パラメータの構成情報を送信する。
【０４６８】
本発明の他の実施形態では、第4の基地局の不連続のデータ送信パラメータの構成情報を受信する前に、「不連続のデータ送信パラメータの構成情報に対して第4の基地局と対話する」ことは、S30をさらに含むことができる。
【０４６９】
S30では、第1の要求情報は、第4の基地局へと開始される。第1の要求情報は、第4の基地局自体の不連続のデータ送信パラメータの構成情報を送信することを第4の基地局に要求するように少なくとも構成される。
【０４７０】
それに対応して、対話方法が第4の基地局によって実行される場合、「不連続のデータ送信パラメータの構成情報に対して第3の基地局と対話する」ことは、第3の基地局によって開始された上記の第1の要求情報を受信するステップをさらに含むことができる。
【０４７１】
本発明の他の実施形態では、すべての上記の実施形態で「第4の基地局の不連続のデータ送信パラメータの構成情報を受信する」ステップの後、「不連続のデータ送信パラメータの構成情報に対して第4の基地局と対話する」ことは、再び図3を参照して、S32をさらに含むことができる。
【０４７２】
S32では、(第3の基地局によって)肯定応答情報が返される。
【０４７３】
それに対応して、対話方法が第4の基地局によって実行される場合、「不連続のデータ送信パラメータの構成情報に対して第3の基地局と対話する」ことは、第3の基地局によって返された肯定応答情報を受信するステップをさらに含むことができる。
【０４７４】
さらに、本発明の他の実施形態では、「不連続のデータ送信パラメータの構成情報に対して第4の基地局と対話する」ことは、S33および/またはS34をさらに含むことができる。
【０４７５】
S33では、第3の基地局の不連続のデータ送信パラメータの構成情報は、第4の基地局に送信される(すなわち、第3の基地局は、第4の基地局に、第3の基地局自体の不連続のデータ送信パラメータの構成情報を送信する)。
【０４７６】
さらに/あるいは
【０４７７】
S34では、第4の基地局によって使用されることが提案された不連続のデータ送信パラメータの構成情報は、第4の基地局に送信される。
【０４７８】
それに対応して、対話方法が第4の基地局によって実行される場合、「不連続のデータ送信パラメータの構成情報に対して第3の基地局と対話する」ことは、以下をさらに含むことができる。
【０４７９】
第3の基地局の不連続のデータ送信パラメータの構成情報を受信するステップ。
【０４８０】
および/または
【０４８１】
第3の基地局が第4の基地局使用を提案する不連続のデータ送信パラメータの構成情報を受信するステップ。
【０４８２】
S33およびS34は、相互に独立している場合がある。あるいは、第3の基地局の不連続のデータ送信パラメータの構成情報および/または第4の基地局によって使用されることが提案された不連続のデータ送信パラメータの構成情報は、肯定応答情報で運ばれ得る。同様に、第4の基地局側が、第3の基地局の不連続のデータ送信パラメータの構成情報および/または第4の基地局によって使用されることが提案された不連続のデータ送信パラメータの構成情報を受信するステップは、独立したステップの場合があるか、または肯定応答情報を受信するステップに組み合わせられ得る。
【０４８３】
さらに、本発明の他の実施形態では、第3の基地局が第4の基地局に、第3の基地局の不連続のデータ送信パラメータの構成情報および/または第4の基地局によって使用されることが提案された不連続のデータ送信パラメータの構成情報を送信する前に、以下のステップがさらに実行され得る。
【０４８４】
第4の基地局によって開始された第2の要求情報を受信するステップであって、第2の要求情報は、第3の基地局の不連続のデータ送信パラメータの構成情報を送信し、かつ/または第4の基地局に、第4の基地局によって使用されることが提案された不連続のデータ送信パラメータの構成情報を送信することを第3の基地局に要求するように構成されるステップ。
【０４８５】
それに対応して、第4の基地局によって実行される動作は、以下のとおりである。
【０４８６】
上記の第2の要求情報を送信するステップ。
【０４８７】
第3の基地局が第4の基地局使用を提案する不連続のデータ送信パラメータの構成情報を受信するステップの後、第4の基地局は、第3の基地局からの提案を直接的に採用することができ、この場合、ネゴシエーションは完了することに注意するべきである。あるいは、第4の基地局は、第3の基地局からの提案を採用しなくてもよく、この場合、第4の基地局は、第3の基地局に、第4の基地局自体の不連続のデータ送信パラメータの構成情報を再送信することができ、第4の基地局が提案を採用するまで、第3の基地局はS31を再実行するなどする。あるいは、第4の基地局は、第3の基地局に、第3の基地局によって使用されることが提案された不連続のデータ送信パラメータの構成情報を送信することができる。第3の基地局は、第4の基地局からの提案を採用するかどうかを決定することができる。
【０４８８】
上記の対話方法は、ハンドオーバプロセスまたはデータ配布チャネルのセットアッププロセスで使用され得ることを上に記述した。第1の要求情報は、対話方法がハンドオーバプロセスに適用される場合、UEに対するハンドオーバ要求の場合がある。第1の要求情報は、データ配布チャネルのセットアッププロセスに対話方法が適用される場合、UEに対するデータ配布要求である。
【０４８９】
上記の対話方法がハンドオーバプロセスに適用される場合、第3の基地局は、ソース基地局を指し、第4の基地局はターゲット基地局を指すことに注意されたい。
【０４９０】
本発明の他の実施形態では、第3の基地局と第4の基地局の間の対話は、サードパーティデバイスを介して実装され得る。サードパーティデバイスは、OAM(Operation Administration and Maintenance:動作、管理、維持)と、ゲートウェイと、スーパーノードとの少なくとも1つの場合がある。
【０４９１】
サードパーティデバイスに基づいて、「不連続のデータ送信パラメータの構成情報に対して第4の基地局と対話する」ことは、図4aを参照して、S41からS43を含むことができる。
【０４９２】
S41では、サードパーティデバイスからの第1のデータが受信される。
【０４９３】
第1のデータは、1つまたは複数の種類の情報を含むことができる。たとえば、第1のデータは、サードパーティデバイスによって転送される第4の基地局の不連続のデータ送信パラメータの構成情報と、第4の基地局が第3の基地局使用を提案し、サードパーティデバイスによって転送される不連続のデータ送信パラメータの構成情報と、サードパーティデバイスが第3の基地局使用を提案する不連続のデータ送信パラメータの構成情報との少なくとも1つを含むことができる。
【０４９４】
第3の基地局は、サードパーティデバイスに肯定応答情報を返すことができるため、サードパーティデバイスは、第4の基地局に肯定応答情報を転送する。
【０４９５】
第4の基地局またはサードパーティデバイスによって提案された不連続のデータ送信パラメータの構成情報を受信した後、第3の基地局は、第4の基地局またはサードパーティデバイスによって提案された不連続のデータ送信パラメータの構成情報を直接的に使用することができる。
【０４９６】
優先度は、また、第4の基地局およびサードパーティデバイスに対して設定され得る。第4の基地局によって提案された不連続のデータ送信パラメータの構成情報およびサードパーティデバイスによって提案された不連続のデータ送信パラメータの構成情報の両方が受信された場合、より高い優先度を持つ提案が優先的に採用され得る。
【０４９７】
第1のデータは、複数の種類の情報を含むことができ、本発明で「第1のデータを受信する」ことは、一度に複数の種類の情報を受信すること、または毎回、1種類または2種類の情報を受信して、複数回に複数の種類の情報を受信することとして理解され得ることに注意されたい。
【０４９８】
「第1のデータを受信する」ことが、複数回に複数の種類の情報を受信することとして理解される場合、S41は、S411からS413の3つのサブステップを含むことができる。S411では、サードパーティデバイスによって転送される第4の基地局の不連続のデータ送信パラメータの構成情報が受信される。S412では、第4の基地局が第3の基地局使用を提案し、サードパーティデバイスによって転送される不連続のデータ送信パラメータの構成情報が受信される。S413では、サードパーティデバイスが第3の基地局使用を提案する不連続のデータ送信パラメータの構成情報が受信される。
【０４９９】
本発明の他の実施形態では、S41またはS411の前に、不連続のデータ送信パラメータの構成情報に対して第4の基地局と対話するステップは、図4bを参照して、S40をさらに含むことができる。
【０５００】
S40では、第1の要求情報は、サードパーティデバイスに送信される。第1の要求情報は、サードパーティデバイスによって第4の基地局へ転送され、第1の要求情報は、第4の基地局の不連続のデータ送信パラメータの構成情報を送信することを第4の基地局に要求するように構成される。
【０５０１】
それに対応して、対話方法が第4の基地局によって実行される場合、「不連続のデータ送信パラメータの構成情報に対して第3の基地局と対話する」ことは、以下をさらに含むことができる。
【０５０２】
第3の基地局によって開始され、サードパーティデバイスによって転送される第1の要求情報を受信するステップ。
【０５０３】
次いで、第4の基地局は、サードパーティデバイスに、第4の基地局自体の不連続のデータ送信パラメータの構成情報を送信するため、サードパーティデバイスは、第4の基地局の不連続のデータ送信パラメータの構成情報を転送する。
【０５０４】
さらに、第3の基地局は、サードパーティデバイスに、第3の基地局自体の不連続のデータ送信パラメータの構成情報を送信することができるため(S42)、サードパーティデバイスは、第4の基地局に、第3の基地局の不連続のデータ送信パラメータの構成情報を転送するか、またはサードパーティデバイスは、第3の基地局に、第3の基地局によって使用されることが提案された不連続のデータ送信パラメータの構成情報を送信する。
【０５０５】
第4の基地局の対応する動作は、サードパーティデバイスによって転送される第3の基地局の不連続のデータ送信パラメータの構成情報を受信するステップの場合がある。
【０５０６】
本発明の他の実施形態では、すべての上記の実施形態の第3の基地局の不連続のデータ送信パラメータの構成情報を受信した後、第4の基地局は、第3の基地局へ提案を与えることができる。すなわち、第4の基地局は、第3の基地局に、第3の基地局によって使用されることが提案された不連続のデータ送信パラメータの構成情報を送信することができる。
【０５０７】
第3の基地局は、第4の基地局の不連続のデータ送信パラメータの構成情報に関する提案を与えることができる。これを考慮して、本発明の他の実施形態では、すべての上記の実施形態で「不連続のデータ送信パラメータの構成情報に対して第4の基地局と対話する」ことは、S43をさらに含むことができる。
【０５０８】
S43では、第4の基地局によって使用されることが提案された不連続のデータ送信パラメータの構成情報は、サードパーティデバイスに送信されるため、サードパーティデバイスは、第4の基地局によって使用されることが提案された不連続のデータ送信パラメータの構成情報を転送する。
【０５０９】
第4の基地局の対応する動作は、第3の基地局が第4の基地局使用を提案する不連続のデータ送信パラメータの構成情報を受信するステップであって、サードパーティデバイスによって転送されるステップを含むことができる。
【０５１０】
S42およびS43は代わりに実行され得るか、またはS42とS43の両方が実行され得ることに注意されたい。
【０５１１】
本発明の他の実施形態では、すべての上記の実施形態のS42および/またはS43を実行する前に、第3の基地局は、図4bを参照して、S45をさらに実行することができる。
【０５１２】
S45では、第4の基地局によって開始され、サードパーティデバイスによって転送された第2の要求情報が受信される。第2の要求情報は、第3の基地局の不連続のデータ送信パラメータの構成情報を送信し、かつ/または第4の基地局によって使用されることが提案された不連続のデータ送信パラメータの構成情報を送信することを第3の基地局に要求するように構成される。
【０５１３】
第4の基地局について、「不連続のデータ送信パラメータの構成情報に対して第3の基地局と対話する」ことは、サードパーティデバイスに第2の要求情報を送信するステップをさらに含むことができる。
【０５１４】
さらに、独立したデバイスとして機能するサードパーティデバイスは、また、第4の基地局に提案を与えることができる。したがって、第4の基地局は、第4の基地局によって使用されることが提案された不連続のデータ送信パラメータの構成情報を受信するステップであって、サードパーティデバイスによって送信されるステップである動作を実行することができる。
【０５１５】
上記の記述によると、サードパーティデバイスに基づく対話では、第4の基地局は、サードパーティデバイスによって転送される第3の基地局の不連続のデータ送信パラメータの構成情報と、第3の基地局が第4の基地局使用を提案し、サードパーティデバイスによって転送される不連続のデータ送信パラメータの構成情報と、サードパーティデバイスが第4の基地局使用を提案する不連続のデータ送信パラメータの構成情報とを受信することができる。したがって、第4の基地局に対して、「不連続のデータ送信パラメータの構成情報に対して第3の基地局と対話する」ことは、以下を含むことができる。
【０５１６】
サードパーティデバイスから第2のデータを受信するステップ。第2のデータは、サードパーティデバイスによって転送される第3の基地局の不連続のデータ送信パラメータの構成情報と、第3の基地局が第4の基地局使用を提案し、サードパーティデバイスによって転送される不連続のデータ送信パラメータの構成情報と、サードパーティデバイスが第4の基地局使用を提案する不連続のデータ送信パラメータの構成情報との少なくとも1つを含むことができる。
【０５１７】
第3の基地局またはサードパーティデバイスによって提案された不連続のデータ送信パラメータの構成情報を受信した後、第4の基地局は、不連続のデータ送信パラメータの提案された構成情報を直接的に使用することができる。あるいは、第4の基地局は、不連続のデータ送信パラメータの提案された構成情報を採用しなくてもよく、この場合、第4の基地局は、サードパーティデバイスに、第4の基地局自体の不連続のデータ送信パラメータの構成情報を再送信することができ、サードパーティデバイスは、提案を再び与えるために第3の基地局に第4の基地局の不連続のデータ送信パラメータの構成情報を転送するか、またはサードパーティデバイスは、再び提案を与える。
【０５１８】
本発明の他の実施形態では、上記の対話方法は、図4cを参照して、S44をさらに含むことができる。
【０５１９】
S44では、第3のデータはUEに送信される。
【０５２０】
第3のデータは、また、第4の基地局によってUEに送信され得る。
【０５２１】
第3のデータは、第3の基地局および/または第4の基地局の不連続のデータ送信パラメータの構成情報を含むことができるため、UEは、少なくとも第3のデータにより測定および/またはデータ送信を実行する。
【０５２２】
より具体的には、第3のデータは、ブロードキャスト、RRCメッセージ、メディアアクセス制御制御要素(MACCE:MAC Control Element)、または物理レイヤコマンドを使ってUEに送信され得る。
【０５２３】
不連続のデータ送信パラメータの構成情報に属するDRXパラメータの構成情報について、以下に記述する。
【０５２４】
本発明の他の実施形態では、すべての上記の実施形態のDRXパラメータの構成情報は、セルに対するUEのDRX構成情報、またはDTXパラメータの構成情報に基づくDRX構成情報の場合がある。
【０５２５】
より具体的には、「セルに対するUEのDRX構成情報」は、セルに対するUEのSRB(シグナリング無線ベアラ)のDRX構成情報、セルに対するUEのDRB(データ無線ベアラ)のDRX構成情報、または運ばれたデータ配布のDRX構成情報の場合がある。DRX構成情報は、セルに対するUEのSRBのDRX構成情報またはセルに対するUEのDRBのDRX構成情報に厳密である場合、DRXの構成は、特定のサービスに厳密である。さらに、本発明の他の実施形態では、DRXは、さらに拡張され得て、DRXは、UEによって実行された不連続受信または非受信の場合があるか、または基地局によって実行された不連続受信または非受信の場合がある。
【０５２６】
不連続のデータ送信パラメータの構成情報に属するDTXパラメータの構成情報に関して、すべての上記の実施形態のDTXパラメータは、基地局レベルでのDTXパラメータまたはUEレベルでのDTXパラメータである。UEレベルでのDTXパラメータは、UEに対して構成されたDTXパラメータを指す。さらに、本発明の他の実施形態では、DTXは、さらに拡張され得て、DTXは、基地局によって実行された不連続送信または非送信の場合があるか、またはUEによって実行された不連続送信または非送信の場合がある。
【０５２７】
上記の送信(受信)または非送信(非受信)のオブジェクトは、参照信号と、発見信号と、物理レイヤ制御領域情報と、物理レイヤデータ領域情報との少なくとも1つの場合があり、これは本明細書では制限されない。
【０５２８】
本発明の他の実施形態では、すべての上記の実施形態のDRXパラメータの構成情報は、時間領域におけるDRXパラメータの構成情報および/または周波数領域におけるDRXパラメータの構成情報を含むことができる。
【０５２９】
時間領域におけるDRXパラメータの構成情報は、指定されたサブフレームまたは指定された時間間隔で情報を受信しないか、または受信するかを決定することができる。周波数領域におけるDRXパラメータの構成情報は、指定されたサブバンドで情報を受信しないか、または受信するかを決定することができる。たとえば、特定のキャリア周波数帯で動作する場合に、周波数領域におけるDRXパラメータの構成情報は、キャリア周波数帯内の指定されたサブバンドで情報を受信しないか、または受信するかを決定することができる。
【０５３０】
同様に、本発明の他の実施形態では、すべての上記の実施形態のDTXパラメータの構成情報は、時間領域におけるDTXパラメータの構成情報および/または周波数領域におけるDTXパラメータの構成情報を含むことができる。
【０５３１】
時間領域におけるDTXパラメータの構成情報は、指定されたサブフレームまたは指定された時間間隔で情報を送信しないか、または送信することを決定することができる。周波数領域におけるDTXパラメータの構成情報は、指定されたサブバンドで情報を送信しないか、または送信するかを決定することができる。たとえば、特定のキャリア周波数帯で動作する場合、周波数領域におけるDRXパラメータの構成情報は、キャリア周波数帯内の指定されたサブバンドで情報を送信しないか、または送信するかを決定することができる。
【０５３２】
UEが複数の基地局と同時に通信する技術の導入により、各基地局の動作周波数帯域は、異なる場合がある。UEと通信する基地局の動作周波数帯域がUEの同じ無線周波デバイスによってサポートされ得て、すべての基地局の不連続データパラメータの構成は、一様な傾向がある場合、UEの無線周波デバイスの同時のオープンおよびクローズは、省電力のためにできるだけ保証され得る。たとえば、図6を参照すると、第3の基地局のDRXパラメータの構成および第4の基地局のDRXパラメータの構成が、本質的に同じである場合、UEの同時のオープンおよびクローズは、本質的に保証され得る。
【０５３３】
上記を鑑みて、本発明の他の実施形態では、以下の少なくとも1つは、基地局間の不連続のデータ送信パラメータの構成情報に対して対話することによって達成される。不連続のデータ送信パラメータの構成情報を使用する基地局は、一様な傾向があり、UEの電力は節約される。
【０５３４】
不連続のデータ送信パラメータの構成情報は、DRXパラメータの構成情報およびDTXパラメータの構成情報の少なくとも1つを含むことができる。
【０５３５】
不連続のデータ送信パラメータの構成情報に属するDRXパラメータの構成情報について、以下に詳細に記述する。
【０５３６】
本発明の他の実施形態では、すべての上記の実施形態のDRXパラメータの構成情報は、UEのDRX構成情報またはDTXパラメータの構成情報に基づくDRX構成情報の場合がある。
【０５３７】
UEのDRX構成情報は、セルに対してUEのDRX構成情報を含む。
【０５３８】
より具体的には、「セルに対するUEのDRX構成情報」は、セルに対するUEのSRB(シグナリング無線ベアラ)のDRX構成情報、セルに対するUEのDRB(データ無線ベアラ)のDRX構成情報、または運ばれたデータ配布のDRX構成情報の場合がある。DRX構成情報は、セルに対するUEのSRBのDRX構成情報またはセルに対するUEのDRBのDRX構成情報に厳密である場合、DRXの構成は、特定のサービスに厳密である。さらに、本発明の他の実施形態では、DRXは、さらに拡張され得て、DRXは、UEによって実行された不連続受信または非受信の場合があるか、または基地局によって実行された不連続受信または非受信の場合がある。
【０５３９】
不連続のデータ送信パラメータの構成情報に属するDTXパラメータの構成情報に関して、すべての上記の実施形態のDTXパラメータは、基地局レベルでのDTXパラメータまたはUEレベルでのDTXパラメータである。UEレベルでのDTXパラメータは、UEに対して構成されたDTXパラメータを指す。さらに、本発明の他の実施形態では、DTXは、さらに拡張され得て、DTXは、基地局によって実行された不連続送信または非送信の場合があるか、またはUEによって実行された不連続送信または非送信の場合がある。
【０５４０】
上記の送信(受信)または非送信(非受信)のオブジェクトは、参照信号と、発見信号と、物理レイヤ制御領域情報と、物理レイヤデータ領域情報との少なくとも1つの場合があり、これは本明細書では制限されない。
【０５４１】
本発明の他の実施形態では、すべての上記の実施形態のDRXパラメータの構成情報は、時間領域におけるDRXパラメータの構成情報および/または周波数領域におけるDRXパラメータの構成情報を含むことができる。
【０５４２】
時間領域におけるDRXパラメータの構成情報は、指定されたサブフレームまたは指定された時間間隔で情報を受信しないか、または受信するかを決定することができる。周波数領域におけるDRXパラメータの構成情報は、指定されたサブバンドで情報を受信しないか、または受信するかを決定することができる。たとえば、特定のキャリア周波数帯で動作する場合、周波数領域におけるDRXパラメータの構成情報は、キャリア周波数帯内の指定されたサブバンドで情報を受信しないか、または受信するかを決定することができる。
【０５４３】
同様に、本発明の他の実施形態では、すべての上記の実施形態のDTXパラメータの構成情報は、時間領域におけるDTXパラメータの構成情報および/または周波数領域におけるDTXパラメータの構成情報を含むことができる。
【０５４４】
時間領域におけるDTXパラメータの構成情報は、指定されたサブフレームまたは指定された時間間隔で情報を送信しないか、または送信することを決定することができる。周波数領域におけるDTXパラメータの構成情報は、指定されたサブバンドで情報を送信しないか、または送信するかを決定することができる。たとえば、特定のキャリア周波数帯で動作する場合、周波数領域におけるDRXパラメータの構成情報は、キャリア周波数帯内の指定されたサブバンドで情報を送信しないか、または送信するかを決定することができる。
【０５４５】
より具体的には、すべての上記の実施形態のDRXパラメータの構成情報は、DRXの周期性と、最初の持続的なタイマと、DRXの開始位置との少なくとも1つを含むことができる。
【０５４６】
「一様な傾向がある」ことは、基地局に対するDRXの開始位置が同じであることと、基地局に対する最初の持続的なタイマがmである割合で比例することと、基地局に対するDRXの周期性がnである割合で比例することとの少なくとも1つを含むことができる。
【０５４７】
あるいは、「一様な傾向がある」ことは、DRXパラメータの共通の構成情報が、基地局に対して使用され得ることを含むことができる。
【０５４８】
さらに、第3の基地局および第4の基地局を実例としてあげる。mである割合で比例する基地局に対する最初の持続的なタイマは、第3の基地局に対応する最初の持続的なタイマと、第4の基地局に対応する最初の持続的なタイマの間の割合が、mであることを指すことができ、mは、自然数または自然数の逆数の場合がある。同様に、nである割合で比例する基地局に対するDRXの周期性は、第3の基地局に対応するDRXの周期性と、第4の基地局に対応するDRXの周期性の間の比率が、nであることを指すことができ、nは、自然数または自然数の逆数の場合がある。mおよびnは、等しいか等しくない場合がある。
【０５４９】
基地局間の対話について以下に記述する。不連続のデータ送信パラメータの構成情報のための対話は、ハンドオーバプロセス、データ配布チャネルのセットアッププロセス、基地局インターフェースのセットアッププロセス、基地局構成の更新プロセス、または基地局のインターフェースを通じたUE構成情報の更新プロセスに適用され得ることに注意されたい。
【０５５０】
上記の対話方法は、第3の基地局または第4の基地局によって実行され得る。第3の基地局および第4の基地局は、識別のためだけのものであり、特別の目的を持たないことに注意されたい。
【０５５１】
対話方法が第3の基地局によって実行される場合、対話方法は、不連続のデータ送信パラメータの構成情報に対して第4の基地局と対話するため、一様な傾向がある不連続のデータ送信パラメータの構成情報が、基地局に対して使用され、かつ/またはUEの電力が節約されるステップを含む。
【０５５２】
それに対応して、対話方法が第4の基地局によって実行される場合、対話方法は、不連続のデータ送信パラメータの構成情報に対して第3の基地局と対話するステップを含むことができる。
【０５５３】
図7を参照すると、「不連続のデータ送信パラメータの構成情報に対して第4の基地局と対話する」ことは、S31を含むことができる。
【０５５４】
S31で、第4の基地局の不連続のデータ送信パラメータの構成情報(第4の基地局によって送信される)が受信される。
【０５５５】
第3の基地局の不連続のデータ送信パラメータの構成情報が、第4の基地局の不連続のデータ送信パラメータの構成情報と一様な傾向があるように、第3の基地局は、次いで、第4の基地局の不連続のデータ送信パラメータの構成情報に基づいて、第3の基地局自体の不連続のデータ送信パラメータの構成情報を調整することができる。
【０５５６】
それに対応して、対話方法が第4の基地局によって実行される場合、「不連続のデータ送信パラメータの構成情報に対して第3の基地局と対話する」ことは、第3の基地局に、第4の基地局の不連続のデータ送信パラメータの構成情報を送信するステップを含むことができる。すなわち、第4の基地局は、第3の基地局に、第4の基地局自体の不連続のデータ送信パラメータの構成情報を送信する。
【０５５７】
本発明の他の実施形態では、第4の基地局の不連続のデータ送信パラメータの構成情報を受信する前に、「不連続のデータ送信パラメータの構成情報に対して第4の基地局と対話する」ことは、S30をさらに含むことができる。
【０５５８】
S30では、第1の要求情報は、第4の基地局へと開始される。第1の要求情報は、第4の基地局自体の不連続のデータ送信パラメータの構成情報を送信することを第4の基地局に要求するように少なくとも構成される。
【０５５９】
本発明の他の実施形態では、第4の基地局の不連続のデータ送信パラメータの構成情報を受信する前に、「不連続のデータ送信パラメータの構成情報に対して第4の基地局と対話する」ことは、S35をさらに含むことができる。
【０５６０】
S35では、第1の命令情報は、第4の基地局に送信される。
【０５６１】
第1の命令情報は、一様な傾向がある不連続のデータ送信パラメータの構成情報を交渉および使用するように基地局に指示するように構成される。
【０５６２】
それに対応して、対話方法が第4の基地局によって実行される場合、「不連続のデータ送信パラメータの構成情報に対して第3の基地局と対話する」ことは、以下を含むことができる。
【０５６３】
第1の命令情報を受信するステップ。
【０５６４】
S30と、S31と、S35とは簡単な対話プロセスを構成することができる。
【０５６５】
S35およびS30は、同時にまたは別々に実行され得て、S35およびS30の実行順序は、本明細書に制限されない。さらに、本発明の他の実施形態では、第1の命令情報は、第1の要求情報を送信するプロセスで運ばれ得る。たとえば、第1の命令情報および第1の要求情報は、同じメッセージで運ばれ得て、第1の命令情報および第1の要求情報は、メッセージを送信することによって同時に送信され得る。第1の命令情報を送信するステップと他のステップの関係について、以下に記述する。
【０５６６】
比較的複雑な対話プロセスについて以下に記述する。
【０５６７】
本発明の他の実施形態では、第4の基地局は、第3の基地局に第1の命令情報を送信することができる。さらに、本発明の他の実施形態では、第1の命令情報は、(第4の基地局によって)第4の基地局の不連続のデータ送信パラメータの構成情報を送信するプロセスで運ばれ得る。たとえば、第1の命令情報および第4の基地局の不連続のデータ送信パラメータの構成情報は、同じメッセージで運ばれ得る。第1の命令情報を送信するステップと他のステップの関係について、以下に記述する。
【０５６８】
本発明の他の実施形態では、図8を参照すると、「不連続のデータ送信パラメータの構成情報に対して第4の基地局と対話する」ことは、S37をさらに含むことができる。
【０５６９】
S37では、第4の基地局の不連続のデータ送信パラメータの代替構成情報が受信される。
【０５７０】
それに対応して、対話方法が第4の基地局によって実行される場合、「不連続のデータ送信パラメータの構成情報に対して第3の基地局と対話する」ことは、第4の基地局の不連続のデータ送信パラメータの代替構成情報を送信するステップをさらに含むことができる。
【０５７１】
本発明の他の実施形態では、S37を実行する前に、「不連続のデータ送信パラメータの構成情報に対して第4の基地局と対話する」ことは、S36をさらに含むことができる。
【０５７２】
S36では、第3の要求情報は、第4の基地局へと開始される。第3の要求情報は、第4の基地局の不連続のデータ送信パラメータの代替構成情報を送信することを要求するように構成される。
【０５７３】
第3の要求情報および第1の要求情報は、同じ要求情報または異なる要求情報の場合がある。
【０５７４】
それに対応して、対話方法が第4の基地局によって実行される場合、「不連続のデータ送信パラメータの構成情報に対して第3の基地局と対話する」ことは、第3の要求情報を受信するステップをさらに含むことができる。
【０５７５】
本発明の他の実施形態では、第3の基地局は、第3の要求情報を送信するプロセスで第1の命令情報を運ぶことができる。
【０５７６】
同様に、本発明の他の実施形態では、第4の基地局は、不連続のデータ送信パラメータの代替構成情報を送信するプロセスで第1の命令情報を運ぶことができる。第4の基地局の不連続のデータ送信パラメータの代替構成情報の機能について、以下に記述する。
【０５７７】
本発明の他の実施形態では、再び図7を参照すると、「第4の基地局の不連続のデータ送信パラメータの構成情報」または「第4の基地局の不連続のデータ送信パラメータの代替構成情報」を受信した後、「不連続のデータ送信パラメータの構成情報に対して第4の基地局と対話する」ことは、S32をさらに含むことができる。
【０５７８】
S32では、(第3の基地局によって)肯定応答情報が返される。
【０５７９】
それに対応して、対話方法が第4の基地局によって実行される場合、「不連続のデータ送信パラメータの構成情報に対して第3の基地局と対話する」ことは、第3の基地局によって返された肯定応答情報を受信するステップをさらに含むことができる。
【０５８０】
本発明の他の実施形態では、「不連続のデータ送信パラメータの構成情報に対して第4の基地局と対話する」ことは、S33および/またはS34をさらに含むことができる。
【０５８１】
S33では、第3の基地局の不連続のデータ送信パラメータの構成情報は、第4の基地局に送信される。
【０５８２】
さらに/あるいは、
【０５８３】
S34では、第4の基地局によって使用されることが提案された不連続のデータ送信パラメータの構成情報は、第4の基地局に送信される。
【０５８４】
より具体的には、S34の「第4の基地局によって使用されることが提案された不連続のデータ送信パラメータの構成情報」は、第4の基地局の不連続のデータ送信パラメータの受信された代替構成情報から選択され得る。
【０５８５】
それに対応して、対話方法が第4の基地局によって実行される場合、「不連続のデータ送信パラメータの構成情報に対して第3の基地局と対話する」ことは、以下をさらに含むことができる。
【０５８６】
第3の基地局の不連続のデータ送信パラメータの構成情報を受信するステップ。
【０５８７】
および/または
【０５８８】
第3の基地局が第4の基地局使用を提案する不連続のデータ送信パラメータの構成情報を受信するステップ。
【０５８９】
S33およびS34は、相互に独立している場合がある。あるいは、第3の基地局の不連続のデータ送信パラメータの構成情報および/または第4の基地局によって使用されることが提案された不連続のデータ送信パラメータの構成情報は、肯定応答情報で運ばれ得る。同様に、第4の基地局側によって第3の基地局の不連続のデータ送信パラメータの構成情報および/または第4の基地局によって使用されることが提案された不連続のデータ送信パラメータの構成情報を受信するステップは、独立したステップの場合があるか、または肯定応答情報を受信するステップに組み合わせられ得る。
【０５９０】
本発明の他の実施形態では、第3の基地局が、第3の基地局の不連続のデータ送信パラメータの構成情報および/または第4の基地局によって使用されることが提案された不連続のデータ送信パラメータの構成情報を送信する前に、第3の基地局は、S39をさらに実行することができる。
【０５９１】
S39では、第4の基地局によって開始された第2の要求情報が受信される。第2の要求情報は、第3の基地局の不連続のデータ送信パラメータの構成情報および/または第4に基地局によって使用されることが提案された不連続のデータ送信パラメータの構成情報を送信することを要求するように構成される。
【０５９２】
それに対応して、第4の基地局によって実行される動作は、第2の要求情報を送信するステップである。
【０５９３】
第3の基地局が第4の基地局使用を提案する不連続のデータ送信パラメータの構成情報を受信するステップの後、第4の基地局は、第3の基地局からの提案を直接的に採用することができ、この場合、ネゴシエーションは完了することに注意するべきである。あるいは、第4の基地局は、第3の基地局からの提案を採用しなくてもよく、この場合、第4の基地局は、第3の基地局に、第4の基地局自体の不連続のデータ送信パラメータの構成情報を再送信することができ、第4の基地局が提案を採用するまで、第3の基地局は再びS31を再実行するなどする。あるいは、第4の基地局は、第3の基地局に、第3の基地局によって使用されることが提案された不連続のデータ送信パラメータの構成情報を送信することができる。第3の基地局は、第4の基地局からの提案を採用するかどうかを決定することができる。
【０５９４】
本発明の他の実施形態では、「不連続のデータ送信パラメータの構成情報に対して第4の基地局と対話する」ことは、S311をさらに含むことができる。
【０５９５】
S311では、第3の基地局の不連続のデータ送信パラメータの代替構成情報が送信される。
【０５９６】
それに対応して、対話方法が第4の基地局によって実行される場合、「不連続のデータ送信パラメータの構成情報に対して第3の基地局と対話する」ことは、第3の基地局の不連続のデータ送信パラメータの代替構成情報を受信するステップをさらに含むことができる。
【０５９７】
本発明の他の実施形態では、S311の前に、「不連続のデータ送信パラメータの構成情報に対して第4の基地局と対話する」ことは、S310をさらに含むことができる。
【０５９８】
S310では、第4の基地局によって送信された第4の要求が受信される。第4の要求は、第3の基地局の不連続のデータ送信パラメータの代替構成情報を送信することを要求するように構成される。
【０５９９】
本発明の他の実施形態では、第4の要求情報および第2の要求情報は、同じ要求情報または異なる要求情報の場合がある。
【０６００】
それに対応して、対話方法が第4の基地局によって実行される場合、「不連続のデータ送信パラメータの構成情報に対して第3の基地局と対話する」ことは、第4の要求を送信するステップをさらに含むことができる。
【０６０１】
第4の基地局は、第3の基地局の不連続のデータ送信パラメータの構成情報または第3の基地局の不連続のデータ送信パラメータの代替構成情報を受信した後に、肯定応答情報を返すことができる。
【０６０２】
本発明の他の実施形態では、「不連続のデータ送信パラメータの構成情報に対して第4の基地局と対話する」ことは、S312をさらに含むことができる。
【０６０３】
S312では、第4の基地局が第3の基地局使用を提案する不連続のデータ送信パラメータの構成情報が受信される。
【０６０４】
それに対応して、第4の基地局によって実行されるステップは、第3の基地局によって使用されることが提案された不連続のデータ送信パラメータの構成情報を送信するステップを含むことができる。
【０６０５】
第3の基地局によって使用されることが提案された不連続のデータ送信パラメータの構成情報は、第4の基地局によって受信される第3の基地局の不連続のデータ送信パラメータの代替構成情報から選択され得る。
【０６０６】
第3の基地局によって使用されることが提案された不連続のデータ送信パラメータの構成情報は、第4の基地局によって返された肯定応答情報によって運ばれ得る。
【０６０７】
さらに、構成情報が、第3の基地局が第4の基地局使用を提案する構成情報または第4の基地局が第3の基地局使用を提案する構成情報かどうかにかかわらず、提案された構成情報は、他方のパーティの不連続のデータ送信パラメータの構成情報と一様な傾向がある。
【０６０８】
第3の基地局の不連続のデータ送信パラメータの構成情報と、第4の基地局によって使用されることが提案された不連続のデータ送信パラメータの構成情報と、第3の基地局の不連続のデータ送信パラメータの代替構成情報との少なくとも1つは、第3の基地局によって第4の基地局に返された肯定応答情報によって運ばれ得ることに注意されたい。
【０６０９】
第4の基地局に送信された第1の命令情報は、第1の要求を送信するプロセス、または第3の要求を送信するプロセス、または第3の基地局の不連続のデータ送信パラメータの構成情報を送信するプロセス、または第4の基地局によって使用されることが提案された不連続のデータ送信パラメータの構成情報を送信するプロセス、または第3の基地局の不連続のデータ送信パラメータの代替構成情報を送信するプロセス、または第4の基地局に肯定応答情報を返すプロセスで運ばれる。
【０６１０】
第4の基地局によって送信された第1の命令情報は、第2の要求を送信するプロセス、または第4の要求を送信するプロセス、または第4の基地局の不連続のデータ送信パラメータの構成情報を送信するプロセス、または第4の基地局の不連続のデータ送信パラメータの代替構成情報を送信するプロセス、または第3の基地局によって使用されることが提案された不連続のデータ送信パラメータの構成情報を送信するプロセス、または第3の基地局に肯定応答情報を返すプロセスで運ばれる。
【０６１１】
本発明の他の実施形態では、対話方法は、以下をさらに含むことができる。
【０６１２】
UEによって報告された第2の命令情報を(第3の基地局または第4の基地局によって)受信するステップ。第2の命令情報は、一様な傾向がある不連続のデータ送信パラメータの構成情報を構成するように要求するように構成される。
【０６１３】
第2の命令情報は、基地局/セルに対して一様な傾向がある不連続のデータ送信パラメータの構成情報を使用して要求するための無線周波数情報および要求の少なくとも1つを含むことができる。
【０６１４】
無線周波数情報は、UEによって使用される無線周波デバイスの数と、UEがアップリンクマルチキャリアに同じ無線周波デバイスを使用することを示すことと、UEがダウンリンクマルチキャリアに同じ無線周波デバイスを使用することを示すこととの少なくとも1つを含むことができる。
【０６１５】
第2の命令情報を報告するためのトリガリング条件は、UEが、アップリンクマルチキャリアが同じ無線周波デバイスを使用することができること、および/またはダウンリンクマルチキャリアが同じ無線周波デバイスを使用することができることを決定することを含む。
【０６１６】
一部のUEは、ハードウェアに1つまたは複数の無線周波デバイス(RFと略記)を装備することができる。UEに対して、UEのRFの数にかかわらず、アップリンクマルチキャリアが同じ無線周波デバイスを使用することができ、かつ/またはダウンリンクマルチキャリアが同じ無線周波デバイスを使用することができる限り、第2の命令情報を報告するためのトリガリング条件が満たされる。
【０６１７】
アップリンクマルチキャリアは、第3の基地局のアップリンクキャリアおよび第4の基地局のアップリンクキャリアを含むことができる。ダウンリンクマルチキャリアは、第3の基地局のダウンリンクキャリアおよび第4の基地局のダウンリンクキャリアを含むことができる。
【０６１８】
本発明の他の実施形態では、すべての上記の実施形態の第1の命令情報を送信するための条件は、第3の基地局または第4の基地局がUEによって報告された第2の命令情報を受信することと、第3の基地局または第4の基地局が同じ無線周波デバイスがUEのアップリンクマルチキャリアに使用され得ることを決定することと、第3の基地局または第4の基地局が同じ無線周波デバイスがUEのダウンリンクマルチキャリアに使用され得ることを決定することとの少なくとも1つを含むことができる。
【０６１９】
UEによって実行されるステップは、第3の基地局および/または第4の基地局に第2の命令情報を報告するステップを含む。第2の命令情報は、一様な傾向がある不連続のデータ送信パラメータの構成情報を構成するように要求するように構成される。
【０６２０】
第2の命令情報の関係するコンテンツと、第2の命令情報を報告するためのトリガリング条件と、不連続のデータ送信パラメータの構成情報と、一様な傾向とについては、上記の記述を参照することができるが、これは本明細書には記述しない。
【０６２１】
UEは、RRCメッセージ、メディアアクセス制御制御要素、または物理レイヤコマンドを使って第2の命令情報を報告することができる。
【０６２２】
本発明の他の実施形態では、UEは、以下のステップをさらに実行することができる。
【０６２３】
(第3の基地局または第4の基地局によって発行された)一様な傾向がある不連続のデータ送信パラメータの構成情報を受信するステップ。
【０６２４】
さらに、第3の基地局および/または第4の基地局は、UEに第3のデータを送信することができることを上に記述した。実際に、UEが、第3のデータを受信し、第3のデータが、一様な傾向がある不連続のデータ送信パラメータの構成情報を運ばないことを検出した後、UEは、第2の命令情報を報告することができる。UEは、次いで、一様な傾向がある不連続のデータ送信パラメータの構成情報を受信する。
【０６２５】
あるいは、UEは、第2の命令情報を直接的に報告し、次いで、一様な傾向がある不連続のデータ送信パラメータの構成情報を受信することができる。
【０６２６】
装置についての視点から、情報対話装置が第3の基地局である場合、情報対話装置は、少なくとも第3の送受信機を含むことができる。第3の送受信機は、不連続のデータ送信パラメータの構成情報に対して第4の基地局と対話するように構成されるため、基地局側が使用装置に対してスケジューリングを実行することと、基地局側がUEに対して移動性管理を実行することと、一様な傾向がある不連続のデータ送信パラメータの構成情報が基地局に対して使用されることと、ユーザ機器UEの電力が節約されることとの少なくとも1つが達成される。基地局側は、第3の基地局および第4の基地局の少なくとも1つを含む。
【０６２７】
情報対話装置が第4の基地局である場合、情報対話装置は、第4の送受信機を少なくとも含む。第4の送受信機は、不連続のデータ送信パラメータの構成情報に対して第3の基地局と対話するように構成される。
【０６２８】
実際には、特定の基地局は、第3の基地局または第4の基地局として機能することができることに注意するべきである。したがって、対話装置は、第3の送受信機および第4の送受信機の両方を含むことができる。第3の送受信機および第4の送受信機は、同じハードウェアデバイスまたは相互に独立した2つのハードウェアデバイスの場合がある。
【０６２９】
特定の基地局が第1の基地局または第2の基地局として機能することができることを考慮すると、基地局は、第1のCPU1と、第3のCPU5と、第1の送信機2と、ストレージ6と、第3の送受信機と、第4の送受信機とをすべて含むことができる。第1のCPU1および第3のCPU5は、同じハードウェアデバイスまたは相互に独立した2つのハードウェアデバイスの場合がある。第1の送信機2と、第3の送受信機と、第4の送受信機とは、同じハードウェアデバイスまたは相互に独立した3つのハードウェアデバイスの場合がある。
【０６３０】
さらに、第3の基地局および/または第4の基地局は、UEに第3のデータを送信することを上に記述した。対話装置がUEである場合、対話装置は、第1の受信機を含むことができる。第1の受信機は、第3の基地局および/または第4の基地局の不連続のデータ送信パラメータの構成情報を含む第3のデータを受信するように構成されるため、第3のデータにより測定および/またはデータ送信が実行され得る。
【０６３１】
あるいは、対話装置がUEである場合、対話装置は、第5の受信機を含むことができる。第5の受信機は、第2の命令情報を報告し、一様な傾向がある不連続のデータ送信パラメータの構成情報を受信し、第3のデータを受信するように構成される。
【０６３２】
さらに、UEは、第1の送受信機3と、第2の送受信機7と、第2のCPU4とをさらに含むことができる。第1の送受信機3と、第2の送受信機7と、第1の受信機とは、同じハードウェアデバイスまたは相互に独立した3つのハードウェアデバイスの場合がある。
【０６３３】
異種混合ネットワークの場面では、UEは、大きな有効範囲を持つマクロ基地局および小さな有効範囲を持つ複数の小さな基地局の中で移動する。したがって、UEが小さな基地局(スモールセル)に滞留することを選択し、頻繁に移動するために、頻繁なハンドオーバまたはハンドオーバの失敗が引き起こされる場合がある。
【０６３４】
ここではハンドオーバは、データ配布方式でのハンドオーバ、または分離されたベアラ方式でのハンドオーバを含む。
【０６３５】
これを考慮して、実施形態による滞留方法および滞留装置が提供される。
【０６３６】
滞留方法は、基地局またはUEによって実行され得る。実施形態では、滞留方法は、基地局またはセルによって主に実行される。
【０６３７】
滞留方法は、UEに指示情報を送信するステップを含むことができる。
【０６３８】
指示情報は、ブロードキャストまたは特別なシグナリングを使って転送され得る。
【０６３９】
滞留方法がUEによって実行される場合、滞留方法は、以下を含むことができる。
【０６４０】
基地局側によって送信された指示情報を受信するステップ、および
【０６４１】
指示情報により滞留するステップ。
【０６４２】
UEは、指示情報により適切に滞留することができ、それによって、少なくとも頻繁な移動による頻繁なハンドオーバまたはハンドオーバの失敗を減らすことができる。
【０６４３】
指示情報は、UE(アイドル状態および/または接続状態)が、このセルに滞留することができるかどうかと、UE(アイドル状態および/または接続状態)が滞留することができる滞留可能なオブジェクトと、UE(アイドル状態および/または接続状態)が滞留することができない滞留可能でないオブジェクトと、セルのサイズおよびタイプとの少なくとも1つを示すように構成される。
【０６４４】
図5を参照すると、基地局とUEの間の対話は、S51からS53を含む。
【０６４５】
S51では、基地局は、指示情報を送信する。
【０６４６】
S52では、UEは、指示情報を受信する。
【０６４７】
S53では、UEは、指示情報により滞留する。
【０６４８】
装置についての視点から、基地局に対応する滞留装置は、少なくとも第2の送信機を含むことができる。第2の送信機は、UEに指示情報を送信するように構成される。
【０６４９】
UEに対応する滞留装置は、少なくとも第2の受信機および第4のCPUを含むことができる。第2の受信機は、基地局側によって送信された指示情報を受信するように構成される。第4のCPUは、指示情報により滞留するように構成される。
【０６５０】
さらに、基地局に対応する滞留装置は、第1のCPU1と、第3のCPU5と、第1の送信機2と、ストレージ6と、第3の送受信機と、第4の送受信機とをさらに含むことができる。第1のCPU1および第3のCPU5は、同じハードウェアデバイスまたは相互に独立した2つのハードウェアデバイスの場合がある。第2の送信機と、第1の送信機2と、第3の送受信機と、第4の送受信機とは、同じハードウェアデバイスまたは相互に独立した4つのハードウェアデバイスの場合がある。
【０６５１】
同様に、UEに対応する滞留装置は、第2のCPU4と、第4のCPUと、第1の送受信機3と、第2の送受信機7と、第1の受信機とをさらに含むことができる。第2のCPU4および第4のCPUは、同じハードウェアデバイスまたは相互に独立した2つのハードウェアデバイスの場合がある。第1の送受信機3と、第2の送受信機7と、第1の受信機とは、同じハードウェアデバイスまたは相互に独立した3つのハードウェアデバイスの場合がある。
【０６５２】
本発明の他の実施形態では、滞留可能なオブジェクトは、滞留可能なセルおよび滞留可能な基地局の少なくとも1つを含み、滞留可能でないオブジェクトは、滞留可能でないセルおよび滞留可能でない基地局の少なくとも1つを含む。
【０６５３】
「セルのサイズおよびタイプ」のセルは、このセルおよび/または近接セルを指すことができる。実施形態では、近接セルは、このセル以外のセルを指す。「サイズおよびタイプ」は、大きなセル、マクロセル、マイクロセル、ピコセル、フェムトセルなどを含む場合があり、異なるタイプのセルの有効範囲は異なる。
【０６５４】
本明細書に記載するUEは、LTE R12の次のバージョンのUEの場合がある。
【０６５５】
以下の状況が考慮される。一般的に、接続状態にあるUEは、スモールセルにおいて滞留可能であり、スモールセルは、マクロ基地局の負荷を緩和するためにUEにサービスを提供することが望ましい。サービスが終了した後、UEの移動による頻繁なハンドオーバまたはハンドオーバの失敗を回避するために、アイドル状態にあるUEは、スモールセルに滞留せず、しかし、大きな有効範囲を持つマクロ基地局に優先的に滞留することが望ましい。よって、セルは、アイドル状態にあるUEがこのセルに滞留可能であるかどうかを通知するために、またはアイドル状態にあるUEに滞留可能なセル/基地局(すなわち滞留可能なオブジェクト)を推薦するために、またはアイドル状態にあるUEに滞留可能でないセル/基地局(すなわち滞留可能でないオブジェクト)を通知するために、またはUEがセルのサイズおよびタイプに基づいて滞留するべきかどうかを単独で決定するように、セルのサイズおよびタイプを示すためになどにおいて、UEに指示情報を送るように設計され得る。このようにして、アイドル状態で切り替えられたUEは、頻繁なセルの再選択またはハンドオーバを回避するために、アイドル状態にあるUEに対して滞留可能なセル/基地局に滞留することを選択するか、またはより大きな有効範囲を持つセルに滞留することを選択する。
【０６５６】
セルは、また、接続状態にあるUEがこのセルに滞留可能であるかどうかを通知するか、または接続状態にあるUEに滞留可能なセル/基地局を推薦するか、または接続状態にあるUEに滞留可能でないセル/基地局に通知するか、またはUEが、セルのサイズおよびタイプに基づいて滞留するべきかどうかを単独で決定するように、セルのサイズおよびタイプを示すなどが可能である。このようにして、接続状態で切り替えられたUEは、マクロ基地局の負荷を緩和するために、接続状態にあるUEに対して滞留可能なセル/基地局に滞留することを選択する。
【０６５７】
実際の通信では、他の場面および他の要件がある場合がある。当業者によって必要とされるように、指示情報に含まれるコンテンツは、柔軟に設計され得て、これは本明細書には記述しない。
【０６５８】
本発明の他の実施形態では、滞留可能な基地局は、第1の基地局(アンカー基地局)として機能することができる代替基地局である。この設計には多くの利点がある。利点の1つは、UEがオンのときに滞留するアンカー基地局として、UEが、推薦された滞留可能な基地局から1つの基地局を選択することができることである。
【０６５９】
さらに、本発明の他の実施形態では、すべての上記の実施形態の指示情報は、滞留可能なオブジェクトの優先度情報を運ぶようにさらに構成され得る。このようにして、UEは、最も高い優先度を持つ滞留可能なオブジェクトに滞留することを選択することができる。
【０６６０】
上記の優先度は、明示的な方法または暗黙的な方法で指示情報に存在することができる。明示的な方法は、各滞留可能なオブジェクトの優先度が、優先度識別などによって識別されることを指している。たとえば、各滞留可能なオブジェクトの優先度を識別するために、「00」、「01」、「10」、および「11」が優先度識別として使用される。暗黙の方法は、優先度が、滞留可能なオブジェクトのランクによって特徴づけられることを指している。たとえば、滞留可能なオブジェクトは、優先度の降順でランク付けられ、各滞留可能なオブジェクトの優先度は、滞留可能なオブジェクトのランクによって特徴づけられる。第1の滞留可能なオブジェクトの優先度は最大であり、最後の滞留可能なオブジェクトの優先度は最小である。
【０６６１】
本発明の実施形態は、段階的に本明細書に記述されており、各実施形態と他の実施形態の間の差についての説明が重視されている。よって、実施形態の間における同じまたは類似の部分について、それらは相互を指すことができる。実施形態により提供されるデバイスについて、デバイスは実施形態により提供される方法に対応するので、対応する記述は比較的簡単である。関連する部分については、方法の部分に対する記述が参照され得る。
【０６６２】
仕様の様々な実施形態に含まれるセルは、従来のセル、新しいキャリアタイプのセル、または将来的に設計されるセルの場合があり、これは本明細書では制限されない。
【０６６３】
第1および第2などの関係を示す用語は、エンティティまたは動作を別のエンティティまたは動作から区別するためにのみ本明細書で使用されるものであり、それらのエンティティおよび動作の間に、この種類の実際の関係または順序があることが必ずしも求められたり暗示されたりするものではないことも注目するべきである。さらに、「含む(include)」、「含む(including)」という用語、および他の変形は、非独占的な含有(non-exclusive contents)を対象とすることを意図するものであるため、一連の要素を含むプロセス、方法、品物、またはデバイスは、それらの要素を含むだけでなく、明確にリストに記載されていない他の要素を含むか、またはプロセス、方法、品物、またはデバイスに固有の要素も含む。それ以上に制限がない場合、「1つの…を含む(include one...)」という記述によって定義された要素は、他の同じ要素が、また、プロセス、方法、品物、または要素を含むデバイスに存在することを除外するものではない。
【０６６４】
実施形態の上述の記述によると、当業者は、本発明が、汎用の集積回路と、汎用のCPUと、汎用のメモリと、汎用の要素とを含む必要なユニバーサルハードウェアに関連してソフトウェアを使用することによって実装され得るか、または専用の集積回路と、専用のCPUと、専用のメモリと、専用の要素とを含む専用ハードウェアで実装され得て、前者の方がより好ましい実施形態であることを明確に理解することができる。この理解に基づいて、本発明の技術的解決策の本質、すなわち、従来技術に貢献する本発明の技術的解決策の部分は、ソフトウェア製品で具体化され得る。コンピュータソフトウェア製品は、Uディスク、モバイル記憶媒体、読み取り専用メモリ(ROM)、ランダムアクセスメモリ(RAM)、ディスク、またはCDなど、ソフトウェアプログラムコードを格納することができる各種メディアなどの読み取り可能な記憶媒体に格納され得る。コンピュータソフトウェア製品は、コンピュータデバイスに(パーソナルコンピュータ、サーバ、またはネットワークデバイスの場合がある)、本発明による方法の実施形態を実行させるためにいくつかの命令を含む。
【０６６５】
当業者は、本明細書に記載の実施形態の記述によって、本発明を実装または使用することができる。実施形態に対する多数の修正が当業者には明白であり、本明細書に記載した一般的な原理は、本発明の精神または範囲から逸脱することなく他の実施形態で実装され得る。したがって、本発明は、本明細書に記述した実施形態に制限されるものではなく、本明細書で提供される原理および新規な機能に一致する最も広い範囲に従うものである。
【符号の説明】
【０６６６】
1  第1のCPU
2  第1の送信機
3  第1の送受信機
4  第2のCPU
5  第3のCPU
6  ストレージ
7  第2の送受信機
61  ソフトウェアプログラム
【図１】
0006530395.tif 000002
【図２ａ】
0006530395.tif 000003
【図２ｂ】
0006530395.tif 000004
【図２ｃ】
0006530395.tif 000005
【図２ｄ】
0006530395.tif 000006
【図２ｅ】
0006530395.tif 000007
【図３】
0006530395.tif 000008
【図４ａ】
0006530395.tif 000009
【図４ｂ】
0006530395.tif 000010
【図４ｃ】
0006530395.tif 000011
【図５】
0006530395.tif 000012
【図６】
0006530395.tif 000013
【図７】
0006530395.tif 000014
【図８】
0006530395.tif 000015